(57)【要約】【課題】ネットワーク通信環境に関係なくデータベースへのアクセスの円滑性を確保し、信頼性の高い無線タグ情報の管理を行う。【解決手段】無線タグ情報管理装置２は、無線タグ回路素子Ｔoと無線通信を行うためのアンテナ１４と、タグ情報アクセス指令に基づきアンテナ１４を介し無線タグ回路素子ＴoのＩＣ回路部１５１にアクセスを行うための信号処理回路２２及び高周波回路２１と、少なくとも、無線タグ回路素子Ｔoを備えた無線タグラベルＴの取り付け対象物の識別情報とこれに対応する無線タグ回路素子Ｔoの識別情報との相関情報をデータベース２０１に格納保持する記憶装置２００と、記憶装置アクセス指令に基づき、データベース２０１にアクセスを行う制御回路３０と、無線タグ回路素子Ｔoと関連づけられるカバーフィルム１０３を繰り出す圧着ローラ駆動軸１２と、印字指令に基づき印字を行う印字ヘッド１０とを有する。【選択図】  図２
2006209262.tif 000002
【特許請求の範囲】
【請求項１】
互いに関連づけられたタグ情報アクセス指令、記憶装置アクセス指令、印字指令を含む操作信号に基づき、無線タグ回路素子に関わる情報の管理を行う無線タグ情報管理装置であって、
前記無線タグ回路素子と無線通信を行うためのアンテナ手段と、
前記タグ情報アクセス指令に基づき前記アンテナ手段を介し前記無線タグ回路素子のＩＣ回路部にアクセスを行うタグアクセス手段と、
少なくとも、前記無線タグ回路素子を備えたタグラベルの取り付け対象物の識別情報とこれに対応する前記無線タグ回路素子の識別情報との相関情報をデータベースに格納保持する記憶装置と、
前記記憶装置アクセス指令に基づき、前記データベースにアクセスを行うデータアクセス手段と、
前記無線タグ回路素子と関連づけられる被印字媒体を繰り出す駆動手段と、
前記印字指令に基づき、前記被印字媒体に所定の印字を行う印字手段とを有することを特徴とする無線タグ情報管理装置。
【請求項２】
請求項１記載の無線タグ情報管理装置において、
操作者の操作入力に応じて前記操作信号を出力する操作手段を有することを特徴とする無線タグ情報管理装置。
【請求項３】
請求項２記載の無線タグ情報管理装置において、
前記操作手段を介した前記操作者の操作入力に対応した所定の表示を行う表示手段を有することを特徴とする無線タグ情報管理装置。
【請求項４】
請求項１記載の無線タグ情報管理装置において、
操作者の操作入力に応じた前記操作信号を装置外より入力する操作信号入力手段を有することを特徴とする無線タグ情報管理装置。
【請求項５】
請求項２又は４記載の無線タグ情報管理装置において、
前記操作手段又は前記操作信号入力手段は、前記タグアクセス手段による前記アクセスを行わず前記印字手段による印字を行うための前記操作信号を出力又は装置外より入力することを特徴とする無線タグ情報管理装置。
【請求項６】
請求項１乃至５のいずれか１項記載の無線タグ情報管理装置において、
前記タグアクセス手段による前記ＩＣ回路部へのアクセスの成否を判定するタグアクセス判定手段を有し、
前記データアクセス手段は、前記タグアクセス判定手段の判定結果に応じて、前記記憶装置の前記データベース内の記憶情報を有効化又は無効化することを特徴とする無線タグ情報管理装置。
【請求項７】
請求項１乃至６のいずれか１項記載の無線タグ情報管理装置において、
前記印字手段による印字の成否を判定する印字判定手段を有し、
前記データアクセス手段は、前記印字判定手段の判定結果に応じて、前記記憶装置の前記データベース内の記憶情報を有効化又は無効化することを特徴とする無線タグ情報管理装置。
【請求項８】
請求項１乃至７のいずれか１項記載の無線タグ情報管理装置において、
前記記憶装置の前記データベースは、前記相関情報と、前記取り付け対象物に関する対象物情報とを、格納保持することを特徴とする無線タグ情報管理装置。
【請求項９】
請求項１乃至７のいずれか１項記載の無線タグ情報管理装置において、
前記記憶装置の前記データベースは、対象物情報が装置外データベースに記憶された前記タグラベルの前記取り付け対象物の識別情報とこれに対応する前記無線タグ回路素子の識別情報との前記相関情報を、格納保持することを特徴とする無線タグ情報管理装置。
【請求項１０】
請求項１乃至９のいずれか１項記載の無線タグ情報管理装置において、
前記記憶装置は、前記無線タグ回路素子の用途に応じた、複数種類の前記データベースを備えていることを特徴とする無線タグ情報管理装置。
【請求項１１】
請求項１０記載の無線タグ情報管理装置において、
前記印字手段は、前記印字指令に基づき、対応する前記無線タグ回路素子の識別情報又は前記無線タグ回路素子の用途に応じた情報を前記被印字媒体に印字することを特徴とする無線タグ情報管理装置。
【請求項１２】
請求項１乃至１１のいずれか１項記載の無線タグ情報管理装置において、
前記記憶装置は、装置本体側に対し着脱可能に設けられていることを特徴とする無線タグ情報管理装置。
【請求項１３】
請求項１乃至１２のいずれか１項記載の無線タグ情報管理装置において、
前記データベースアクセス手段による前記データベースへのアクセスに先立ち、前記記憶装置アクセス指令に対応する前記相関情報が前記データベースに既に格納されているかどうかを参照する相関情報参照手段を有し、
前記データアクセス手段は、前記相関情報参照手段で前記相関情報が前記データベースに未格納であった場合に、当該相関情報を前記データベースへ格納することを特徴とする無線タグ情報管理装置。
【請求項１４】
請求項１３記載の無線タグ情報管理装置において、
前記相関情報参照手段で前記相関情報が前記データベースに既格納であった場合、前記印字手段及び前記タグアクセス手段は、当該既格納の相関情報に対応した前記印字及び前記アクセスを行わないことを特徴とする無線タグ情報管理装置。
【請求項１５】
請求項１３記載の無線タグ情報管理装置において、
前記相関情報参照手段で前記相関情報が前記データベースに既格納であった場合、
前記印字手段は、当該既格納の相関情報に対応する印字を前記被印字媒体に行い、
前記タグアクセス手段は、当該既格納の相関情報に対応したアクセスを前記無線タグ回路素子の前記ＩＣ回路部に行うことを特徴とする無線タグ情報管理装置。
【請求項１６】
請求項１３記載の無線タグ情報管理装置において、
前記相関情報参照手段で前記相関情報が前記データベースに既格納であった場合、
前記データベースアクセス手段は、当該相関情報に係わる前記取り付け対象物の識別情報に、当該相関情報において対応づけられていた前記無線タグ回路素子の識別情報とは別の識別情報を対応づけた新たな相関情報を生成して前記データベースに格納し、
前記印字手段は、当該格納した新たな相関情報に対応する印字を前記被印字媒体に行い、
前記タグアクセス手段は、当該格納した新たな相関情報に対応したアクセスを前記無線タグ回路素子の前記ＩＣ回路部に行うことを特徴とする無線タグ情報管理装置。
【請求項１７】
請求項１６記載の無線タグ情報管理装置において、
前記データアクセス手段は、前記相関情報参照手段で前記相関情報が前記データベースに既格納であった場合、その既格納であった当該相関情報を無効化することを特徴とする無線タグ情報管理装置。
【請求項１８】
請求項１乃至１６のいずれか１項記載の無線タグ情報管理装置において、
少なくとも前記アクセス指令及び前記印字指令に沿って、前記印字手段により印字されるときの前記被印字媒体のイメージ画像を作成するイメージ画像作成手段を有し、
前記記憶装置のデータベースは、前記イメージ画像作成手段で作成された前記イメージ画像を、対応する前記相関情報と関連づけて格納保持することを特徴とする無線タグ情報管理装置。
【請求項１９】
請求項１８記載の無線タグ情報管理装置において、
前記データベースに格納保持された前記イメージ画像を表示手段に表示させるための信号を生成するイメージ画像表示信号生成手段を有することを特徴とする無線タグ情報管理装置。
【請求項２０】
操作者の操作入力に応じて、互いに関連づけられたタグ情報アクセス指令、記憶装置アクセス指令、印字指令を含む操作信号を生成して出力する操作端末と、
前記無線タグ回路素子と無線通信を行うためのアンテナ手段、前記操作信号の前記タグ情報アクセス指令に基づき前記アンテナ手段を介し前記無線タグ回路素子のＩＣ回路部にアクセスを行うタグアクセス手段、少なくとも、前記無線タグ回路素子を備えたタグラベルの取り付け対象物の識別情報とこれに対応する前記無線タグ回路素子の識別情報との相関情報をデータベースに格納保持する記憶装置、前記操作信号の前記記憶装置アクセス指令に基づき前記記憶装置に備えられたデータベースにアクセスを行うデータアクセス手段、前記無線タグ回路素子と関連づけられる被印字媒体を繰り出す駆動手段、及び前記操作信号の前記印字指令に基づき前記被印字媒体に所定の印字を行う印字手段を備える無線タグ情報管理装置と、
を有することを特徴とする無線タグ情報管理システム。
【請求項２１】
請求項２０記載の無線タグ情報管理システムにおいて、
前記無線タグ情報管理装置は、
前記操作端末から前記操作信号として所定条件の複数の前記タグラベルの連続作成を指示する連続作成指示信号が入力された場合、対応する前記被印字媒体への印字と前記無線タグ回路素子の前記ＩＣ回路部へのアクセスとを、当該複数のタグラベルに関して一括して行うように、前記印字手段及び前記タグアクセス手段を連携制御する制御手段を有することを特徴とする無線タグ情報管理システム。
【請求項２２】
請求項２１記載の無線タグ情報管理システムにおいて、
前記無線タグ情報管理装置は、
前記操作端末から前記操作信号として前記所定条件のデータ検索指示信号が入力された場合、前記データベースに備えられた前記相関情報又は前記取り付け対象物の識別情報のうち、当該所定条件に対応するものを検索抽出する検索手段と、
その検索抽出した情報に対応する印字情報及び書込み情報を取得し、その取得した印字情報及び書込み情報に対応した制御信号を前記印字手段及び前記データアクセス手段へそれぞれ出力する制御信号出力手段とを有することを特徴とする無線タグ情報管理システム。
【発明の詳細な説明】
【技術分野】
【０００１】
本発明は、外部と情報の無線通信が可能な無線タグに対し情報の読み取り又は書き込みを行う無線タグ情報管理装置及び無線タグ情報管理システムに関する。
【背景技術】
【０００２】
小型の無線タグとリーダ（読み取り装置）／ライタ（書き込み装置）との間で非接触で情報の読み取り／書き込みを行うＲＦＩＤ（Ｒａｄｉｏ
Ｆｒｅｑｕｅｎｃｙ Ｉｄｅｎｔｉｆｉｃａｔｉｏｎ）システムが知られている。
【０００３】
例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００４】
ここで、無線タグ回路素子のＩＣ回路部の記憶容量はそれほど大きくなく誓願あることから、一般に、ＩＣ回路部には所定の識別情報（タグＩＤ）を記憶させておき、これに対応する対象物の物品情報自体は別のデータベースに格納保持しておくことが多い。そして、例えば対象物に関わる無線タグ回路素子の識別情報をリーダにて読み取り、その読みとった識別情報に基づきデータベースを検索することにより、当該対象物に関わる物品情報を取得する。
【０００５】
このような従来技術の一例としては、例えば特許文献１に記載の情報処理システムがある。この情報処理システムでは、店舗の各売場ごとに設けられた読み取り装置（基地局）と、店舗とは別の場所に設けられたデータベース及びサーバとが通信ネットワークによって接続されている。店舗の各売場に陳列された各商品に添付された無線タグのタグＩＤが読み取り装置（無線局）によって読みとられると、このタグＩＤはサーバへ送信される。サーバは当該タグＩＤに基づきデータベース内に格納保持された情報を検索し、このタグＩＤに対応する商品の各種物品情報（商品カタログ情報、在庫情報、売上げ記録等）を抽出取得する。こうして取得された当該商品の物品情報は、各売場の基地局を介しサーバに入力される店員が所持する携帯操作端末からの操作信号に基づき、所定の処理が行われるようになっている。
【０００６】
【特許文献１】特開２００１−１４７７７０号公報
【発明の開示】
【発明が解決しようとする課題】
【０００７】
上記したように、無線タグはラベル状（＝無線タグラベル）として対象物である商品や物品とともに取り扱われる（例えば添付、貼り付け、同梱等）場合が多い。このとき、その無線タグ回路素子内部に記憶されたタグＩＤとは別に、当該タグ情報や対応する物品情報等に関連した情報をラベルに印字して使用するようにすれば、ユーザ側から上記関連情報を視認できて何かと便利である。そこで、近年、無線タグ回路素子への情報読み取り／書き込みとラベルへの印字とを併せて行い無線タグラベルを作成するタグラベル作成装置が考えられつつある。
【０００８】
このタグラベル作成装置では、操作者のタグラベル作成の旨の操作指示信号に基づき、無線タグ回路素子を所定間隔で配置したテープ等のラベル素材をロールから繰り出しつつ、各無線タグ回路素子のＩＣ回路部に対しアクセスして上記タグＩＤの読み取り／書き込みを行い、さらにその後各ラベルに所定の印字を行い、これによりタグラベルを連続的に生成するようになっている。
【０００９】
そこで、上記のようなタグラベル作成装置に上記従来技術の情報処理システムの構成を適用し、タグラベル作成装置、サーバ、データベース、操作端末をネットワークで接続し、上記ＩＣ回路部のアクセスにより読み取り／書き込みが行われるタグＩＤとデータベース内の物品情報とを関連づけることが考えられる。この場合、操作端末からの操作信号がタグラベル作成装置に入力されると、タグラベル作成装置のタグアクセス機能によって無線タグ回路素子のＩＤ回路部にアクセスしてタグＩＤの読み取り／書き込みが行われ、また印字機能によって対応する印字情報がタグラベルに印字される。またタグラベル作成装置より当該タグＩＤに基づく問い合わせ信号がネットワークを介してデータベースへ出力されるとともに、その返答信号（検索結果等）はネットワークを介してタグラベル作成装置側へと入力される。
【００１０】
しかしながら、このように、タグアクセス機能及び印字機能のみをタグラベル作成装置内に有し、装置外部にデータベースを備えネットワーク通信を介しデータベースアクセスを行う場合には、ネットワーク通信環境の良否によりデータベースへのアクセスの円滑性が阻害される虞れがあり、円滑、迅速、かつ信頼性の高い無線タグ情報の管理が困難である。
【００１１】
本発明の目的は、ネットワーク通信環境に関係なくデータベースへのアクセスの円滑性を確保し、信頼性の高い無線タグ情報の管理を行える無線タグ情報管理装置及び無線タグ情報管理システムを提供することにある。
【課題を解決するための手段】
【００１２】
上記目的を達成するために、第１の発明は、互いに関連づけられたタグ情報アクセス指令、記憶装置アクセス指令、印字指令を含む操作信号に基づき、無線タグ回路素子に関わる情報の管理を行う無線タグ情報管理装置であって、前記無線タグ回路素子と無線通信を行うためのアンテナ手段と、前記タグ情報アクセス指令に基づき前記アンテナ手段を介し前記無線タグ回路素子のＩＣ回路部にアクセスを行うタグアクセス手段と、少なくとも、前記無線タグ回路素子を備えたタグラベルの取り付け対象物の識別情報とこれに対応する前記無線タグ回路素子の識別情報との相関情報をデータベースに格納保持する記憶装置と、前記記憶装置アクセス指令に基づき、前記データベースにアクセスを行うデータアクセス手段と、  前記無線タグ回路素子と関連づけられる被印字媒体を繰り出す駆動手段と、前記印字指令に基づき、前記被印字媒体に所定の印字を行う印字手段とを有することを特徴とする。
【００１３】
本願第１発明においては、操作者の意図による、無線タグ回路素子のＩＣ回路  部に対し所定の情報の読み取り又は書き込みを行いかつこれに対応する印字を被印字媒体に行うための操作信号が、互いに関連づけられたタグ情報アクセス指令、記憶装置アクセス指令、印字指令の３つの指令を含んでいる。
【００１４】
３つの指令のうちタグアクセス指令はタグアクセス手段に直接又は間接的に入力され、タグアクセス手段がこの指令に基づきアンテナを介して無線タグ回路素子のＩＣ回路部にアクセス（情報の読み取り又は書き込み）を行う。また記憶装置アクセス指令はデータアクセス手段に直接又は間接的に入力され、データアクセス手段がこの指令に基づき記憶装置内のデータベースにアクセスし、少なくとも、タグラベルの取り付け対象物の識別情報とこれに対応する無線タグ回路素子の識別情報との相関情報（いわゆるひも付け情報）の登録を行う。さらに印字指令は印字手段に直接又は間接的に入力され、印字手段がこの指令に基づき被印字媒体に所定の印字を行う。
【００１５】
以上のように、本願第１発明では、記憶装置を装置側に備えることにより、無線タグ回路素子と印字付きのラベルとを備えた無線タグラベルを作成するのに必要な３つの機能、すなわちタグアクセス機能、データベースアクセス機能、印字機能のすべてを、１つの操作信号を元にその１つの信号に含まれる３つの指令（＝タグ情報アクセス指令、記憶装置アクセス指令、印字指令）によって一括して実行する。これにより、タグアクセス機能及び印字機能のみを装置内に有し装置外部にデータベースを備えネットワーク通信を介しデータベースアクセスを行う場合のように、ネットワーク通信環境の良否によりデータベースへのアクセスの円滑性が阻害されることが防止される。したがって、円滑、迅速、かつ信頼性の高い無線タグ情報の管理を実現することができる。
【００１６】
第２発明は、上記第１発明において、操作者の操作入力に応じて前記操作信号を出力する操作手段を有することを特徴とする。
【００１７】
操作者が操作手段を操作することで操作信号が生成されて出力され、この１つの操作信号を元に、タグアクセス機能、データベースアクセス機能、印字機能のすべてが一括して実行される。
【００１８】
第３発明は、上記第２発明において、前記操作手段を介した前記操作者の操作入力に対応した所定の表示を行う表示手段を有することを特徴とする。
【００１９】
操作者が操作する操作手段と、この操作に応じて各種表示が行われる表示手段とを装置側で備えることにより、このような装置を用いて、データベース側の相関情報と関連づけられた無線タグラベルを容易に作成することができる。
【００２０】
第４発明は、上記第１発明において、操作者の操作入力に応じた前記操作信号を装置外より入力する操作信号入力手段を有することを特徴とする。
【００２１】
操作者が無線タグ情報管理装置外部にて適宜の操作を行うことで生成された操作信号が、操作信号入力手段を介し入力され、その入力された１つの操作信号を元に、タグアクセス機能、データベースアクセス機能、印字機能のすべてが一括して実行される。なお、データベースを備えた記憶装置が装置側に備えられていることにより、操作手段と装置のみが局所ネットワークにて接続された構成（広域ネットワークには接続されない閉じたシステム構成）も可能となる。
【００２２】
第５発明は、上記第２又は４発明において、前記操作手段又は前記操作信号入力手段は、前記タグアクセス手段による前記アクセスを行わず前記印字手段による印字を行うための前記操作信号を出力又は装置外より入力することを特徴とする。
【００２３】
これにより、無線タグ回路素子を含まず印字のみを行った（タグなし）印字ラベルを作成することも可能となり、操作者の利便性が向上する。
【００２４】
第６発明は、上記第１乃至第５発明のいずれか１つにおいて、前記タグアクセス手段による前記ＩＣ回路部へのアクセスの成否を判定するタグアクセス判定手段を有し、前記データアクセス手段は、前記タグアクセス判定手段の判定結果に応じて、前記記憶装置の前記データベース内の記憶情報を有効化又は無効化することを特徴とする。
【００２５】
このように、タグアクセスの結果を、装置内のみの信号経路を介しデータベース側の情報へ反映させることにより、タグアクセス機能及び印字機能のみを装置内に有し装置外部にデータベースを備えネットワーク通信を介しデータベースアクセス（データベースへのデータ新規登録又は既登録データの読み出し）を行う場合のように、ネットワーク通信環境の良否によりタグアクセス結果とデータベース内データとのリンク付けに支障が生じることが防止される。この結果、円滑、迅速、かつ信頼性の高い無線タグ情報の管理を確実に実現することができる。
【００２６】
第７発明は、上記第１乃至第６発明のいずれか１つにおいて、前記印字手段による印字の成否を判定する印字判定手段を有し、前記データアクセス手段は、前記印字判定手段の判定結果に応じて、前記記憶装置の前記データベース内の記憶情報を有効化又は無効化することを特徴とする。
【００２７】
このように、被印字媒体への印字結果を、装置内のみの信号経路を介しデータベース側の情報へ反映させることにより、タグアクセス機能及び印字機能のみを装置内に有し装置外部にデータベースを備えネットワーク通信を介しデータベースアクセス（データベースへのデータ新規登録又は既登録データの読み出し）を行う場合のように、ネットワーク通信環境の良否により印字結果とデータベース内データとのリンク付けに支障が生じることが防止される。この結果、円滑、迅速、かつ信頼性の高い無線タグ情報の管理を確実に実現することができる。
【００２８】
第８発明は、上記第１乃至第７発明のいずれか１つにおいて、前記記憶装置の前記データベースは、前記相関情報と、前記取り付け対象物に関する対象物情報とを、格納保持することを特徴とする。
【００２９】
対象物情報と相関情報とをデータベースが保持することにより、データアクセス手段で無線タグ回路素子の識別情報を用いてデータベースに問い合わせアクセスがあった場合には、相関情報に基づきその識別情報に対応する対象物の識別情報を検索して対象物を特定し、特定したその対象物の対象物情報の内容をデータベースから出力する（＝読み出す）ことができる。
【００３０】
第９発明は、上記第１乃至第７発明のいずれか１つにおいて、前記記憶装置の前記データベースは、対象物情報が装置外データベースに記憶された前記タグラベルの前記取り付け対象物の識別情報とこれに対応する前記無線タグ回路素子の識別情報との前記相関情報を、格納保持することを特徴とする。
【００３１】
相関情報をデータベースが保持することにより、データアクセス手段で無線タグ回路素子の識別情報を用いてデータベースに問い合わせアクセスがあった場合には、相関情報に基づきその識別情報に対応する対象物の識別情報を検索し、これをデータベースから装置外データベースへ出力する（＝読み出す）ことができる。これにより、装置外データベースにて当該対象物識別情報に基づき対応する対象物を特定し、対応する対象物情報の内容を出力することができる。
【００３２】
第１０発明は、上記第１乃至第９発明のいずれか１つにおいて、前記記憶装置  は、前記無線タグ回路素子の用途に応じた、複数種類の前記データベースを備えていることを特徴とする。
【００３３】
これにより、例えば、固定資産管理用、オフィス備品管理用、名札作成用等、用途に応じたデータベースを用意して使い分けることが可能となる。
【００３４】
第１１発明は、上記第１０発明において、前記印字手段は、前記印字指令に基づき、対応する前記無線タグ回路素子の識別情報又は前記無線タグ回路素子の用途に応じた情報を前記被印字媒体に印字することを特徴とする。
【００３５】
これにより、無線タグ回路素子ごとの固有の識別情報あるいは当該無線タグ回路素子の用途情報を被印字媒体において視覚的に明確にすることができる。
【００３６】
第１２発明は、上記第１乃至１１のいずれか１項発明において、前記記憶装置は、装置本体側に対し着脱可能に設けられていることを特徴とする。
【００３７】
これにより、必要に応じ自由自在に装置本体側に取り付けたり、取り外したりすることができる。この結果、例えば、操作者別あるいは用途別にそれぞれ記憶装置を用意しておき、使用時のつどそれぞれを着脱して使用することが可能となる。また、バックアップも容易に取ることができる。
【００３８】
第１３発明は、上記第１乃至第１２発明のいずれか１つにおいて、前記データベースアクセス手段による前記データベースへのアクセスに先立ち、前記記憶装置アクセス指令に対応する前記相関情報が前記データベースに既に格納されているかどうかを参照する相関情報参照手段を有し、前記データアクセス手段は、前記相関情報参照手段で前記相関情報が前記データベースに未格納であった場合に、当該相関情報を前記データベースへ格納することを特徴とする。
【００３９】
これにより、既にデータベースへ格納（登録）済みの相関情報を誤って二重登録するのを防止することができる。
【００４０】
第１４発明は、上記第１３発明において、前記相関情報参照手段で前記相関情報が前記データベースに既格納であった場合、前記印字手段及び前記タグアクセス手段は、当該既格納の相関情報に対応した前記印字及び前記アクセスを行わないことを特徴とする。
【００４１】
これにより、既にデータベースへ格納（登録）済みの相関情報を誤って二重登録するのを確実に防止することができる。
【００４２】
第１５発明は、上記第１３発明において、前記相関情報参照手段で前記相関情報が前記データベースに既格納であった場合、前記印字手段は、当該既格納の相関情報に対応する印字を前記被印字媒体に行い、前記タグアクセス手段は、当該既格納の相関情報に対応したアクセスを前記無線タグ回路素子の前記ＩＣ回路部に行うことを特徴とする。
【００４３】
このように、データベースに既格納（既登録）である相関情報についても再度印字及びアクセスを行うようにすることにより、例えば無線タグラベルを追加で作成（発行）したい場合、複数枚作成したい場合等に対応することができる。）
【００４４】
第１６発明は、上記第１３発明において、前記相関情報参照手段で前記相関情報が前記データベースに既格納であった場合、前記データベースアクセス手段は、当該相関情報に係わる前記取り付け対象物の識別情報に、当該相関情報において対応づけられていた前記無線タグ回路素子の識別情報とは別の識別情報を対応づけた新たな相関情報を生成して前記データベースに格納し、前記印字手段は、当該格納した新たな相関情報に対応する印字を前記被印字媒体に行い、前記タグアクセス手段は、当該格納した新たな相関情報に対応したアクセスを前記無線タグ回路素子の前記ＩＣ回路部に行うことを特徴とする。
【００４５】
このように、データベースに既格納（既登録）である相関情報については新たに別の相関情報を生成しなおしてこれに対応した印字及びアクセスを行うようにすることにより、例えば前回作成（発行）した無線タグラベルを紛失した場合等に対応することができる。
【００４６】
第１７発明は、上記第１６発明において、前記データアクセス手段は、前記相関情報参照手段で前記相関情報が前記データベースに既格納であった場合、その既格納であった当該相関情報を無効化することを特徴とする。
【００４７】
これにより、新たな相関関係を作成して無線タグラベルを作成するとともに、前回作成した無線タグラベルに対応した相関関係を無効化することができるので、例えば仮に紛失した無線タグラベルの機能がまだ生きていたとしても、新たに作成する無線タグラベルとの情報の混信を防止することができる。
【００４８】
第１８発明は、上記第１乃至１６のいずれか１項発明において、少なくとも前記アクセス指令及び前記印字指令に沿って、前記印字手段により印字されるときの前記被印字媒体のイメージ画像を作成するイメージ画像作成手段を有し、前記記憶装置のデータベースは、前記イメージ画像作成手段で作成された前記イメージ画像を、対応する前記相関情報と関連づけて格納保持することを特徴とする。
【００４９】
無線タグラベル作成時の印字後のイメージ画像を作成しデータベースに格納することにより、例えばこのイメージ画像を操作者側へ表示することで、操作者が作成後の無線タグラベルの外観態様を容易に認識することができる。この結果、操作者の利便性を向上することができる。
【００５０】
第１９発明は、上記第１８発明において、前記データベースに格納保持された前記イメージ画像を表示手段に表示させるための信号を生成するイメージ画像表示信号生成手段を有することを特徴とする。
【００５１】
イメージ画像を表示手段に表示させることで操作者が作成後の無線タグラベルの外観態様を容易に認識でき、操作者の利便性を向上することができる。
【００５２】
上記目的を達成するために、第２０の発明は、操作者の操作入力に応じて、互いに関連づけられたタグ情報アクセス指令、記憶装置アクセス指令、印字指令を含む操作信号を生成して出力する操作端末と、前記無線タグ回路素子と無線通信を行うためのアンテナ手段、前記操作信号の前記タグ情報アクセス指令に基づき前記アンテナ手段を介し前記無線タグ回路素子のＩＣ回路部にアクセスを行うタグアクセス手段、少なくとも、前記無線タグ回路素子を備えたタグラベルの取り付け対象物の識別情報とこれに対応する前記無線タグ回路素子の識別情報との相関情報をデータベースに格納保持する記憶装置、前記操作信号の前記記憶装置アクセス指令に基づき前記記憶装置に備えられたデータベースにアクセスを行うデータアクセス手段、前記無線タグ回路素子と関連づけられる被印字媒体を繰り出す駆動手段、及び前記操作信号の前記印字指令に基づき前記被印字媒体に所定の印字を行う印字手段を備える無線タグ情報管理装置と、を有することを特徴とする。
【００５３】
本願第２０発明においては、操作者が、無線タグ回路素子のＩＣ回路部に対し所定の情報の読み取り又は書き込みを行いかつこれに対応する印字を被印字媒体に行うことを意図して操作端末で適宜の操作を行うと、これに対応して互いに関連づけられたタグ情報アクセス指令、記憶装置アクセス指令、印字指令の３つの指令を含む操作信号が操作端末で生成され、無線タグ情報管理装置側に出力される。
【００５４】
３つの指令のうちタグ方法アクセス指令は無線タグ情報管理装置のタグアクセス手段に直接又は間接的に入力され、タグアクセス手段がこの指令に基づきアンテナを介して無線タグ回路素子のＩＣ回路部にアクセス（情報の読み取り又は書き込み）を行う。また記憶装置アクセス指令は無線タグ情報管理装置のデータアクセス手段に直接又は間接的に入力され、データアクセス手段がこの指令に基づき記憶装置内のデータベースにアクセスし、少なくとも、タグラベルの取り付け対象物の識別情報とこれに対応する無線タグ回路素子の識別情報との相関情報（いわゆるひも付け情報）の登録を行う。さらに印字指令は無線タグ情報管理装置の印字手段に直接又は間接的に入力され、印字手段がこの指令に基づき被印字媒体に所定の印字を行う。
【００５５】
以上のように、本願第２０発明では、記憶装置が無線タグ情報管理装置に備えられることにより、無線タグ回路素子と印字付きのラベルとを備えた無線タグラベルを作成するのに必要な３つの機能、すなわちタグアクセス機能、データベースアクセス機能、印字機能のすべてを、操作端末からの１つの操作信号を元にその１つの信号に含まれる３つの指令（＝タグ情報アクセス指令、記憶装置アクセス指令、印字指令）によって一括して実行する。これにより、タグアクセス機能及び印字機能のみを装置内に有し装置外部にデータベースを備えネットワーク通信を介しデータベースアクセスを行う場合のように、ネットワーク通信環境の良否によりデータベースへのアクセスの円滑性が阻害されることが防止される。したがって、円滑、迅速、かつ信頼性の高い無線タグ情報の管理を実現することができる。
【００５６】
第２１発明は、上記第２０発明において、前記無線タグ情報管理装置は、前記操作端末から前記操作信号として所定条件の複数の前記タグラベルの連続作成を指示する連続作成指示信号が入力された場合、対応する前記被印字媒体への印字と前記無線タグ回路素子の前記ＩＣ回路部へのアクセスとを、当該複数のタグラベルに関して一括して行うように、前記印字手段及び前記タグアクセス手段を連携制御する制御手段を有することを特徴とする。
【００５７】
これにより、操作端末からの連続作成指示ワンタッチで、所定条件を満たす複数の無線タグラベルを連続して作成することができる。
【００５８】
第２２発明は、上記第２１発明において、前記無線タグ情報管理装置は、前記操作端末から前記操作信号として前記所定条件のデータ検索指示信号が入力された場合、前記データベースに備えられた前記相関情報又は前記取り付け対象物の識別情報のうち、当該所定条件に対応するものを検索抽出する検索手段と、その検索抽出した情報に対応する印字情報及び書込み情報を取得し、その取得した印字情報及び書込み情報に対応した制御信号を前記印字手段及び前記データアクセス手段へそれぞれ出力する制御信号出力手段とを有することを特徴とする。
【００５９】
これにより、所定条件を満たす複数の無線タグラベルを作成するに際してのデータ抽出検索を検索手段で行った後、その抽出した情報に対応する印字情報や書込み情報を制御信号出力手段が取得するとともにさらにこれに対応した制御信号を印字手段やデータアクセス手段に出力し、当該印字情報の印字や当該書込み情報の書き込みを行うことで、上記所定条件を満たす複数の無線タグラベルを連続して作成することができる。
【発明の効果】
【００６０】
本発明によれば、操作端末からの１つの操作信号を元にその１つの信号に含まれる３つの指令によって一括して実行するので、円滑、迅速、かつ信頼性の高い無線タグ情報の管理を実現することができる。
【発明を実施するための最良の形態】
【００６１】
以下、本発明の一実施の形態を図面を参照しつつ説明する。
【００６２】
図１は、本実施形態の無線タグ情報管理装置を備えた無線タグ情報管理システムを表すシステム構成図である。
【００６３】
図１に示すこの無線タグ情報管理システム１において、無線タグ情報管理装置（無線タグ情報通信装置）２は、有線あるいは無線による通信回線３を介してルートサーバ４、端末５（操作端末）、汎用コンピュータ６、及び複数の情報サーバ７に接続されている。
【００６４】
端末５は、例えばいわゆるマイクロコンピュータであり、詳細な図示を省略するが、中央演算処理装置であるＣＰＵ、ＲＯＭ、ＲＡＭ、マウス・キーボード等の操作手段、ディスプレイ等の表示手段等から構成され、操作手段の操作に基づき、ＲＡＭの一時記憶機能を利用しつつＲＯＭに予め記憶されたプログラムに従って信号処理を行い、また表示手段に所定の表示を行うようになっている。
【００６５】
図２は、上記無線タグ情報管理装置２の詳細構造を表す概念的構成図である。
【００６６】
図２において、無線タグ情報管理装置２の装置本体８には、凹所としてのカートリッジホルダ部（図示せず）が設けられ、このホルダ部に、カートリッジ１００が着脱可能に取り付けられている。
【００６７】
装置本体８は、第２ロール１０４から繰り出されるカバーフィルム（被印字媒体）１０３に所定の印字（印刷）を行う印字ヘッド（サーマルヘッド、印字手段）１０と、カバーフィルム１０３への印字が終了したインクリボン１０５を駆動するリボン巻取りローラ駆動軸１１と、カバーフィルム１０３と第１ロール（タグテープロール）１０２から繰り出される基材テープ（タグテープ）１０１とを貼り合わせつつ印字済タグラベル用テープ１１０としてカートリッジ１００から繰り出すための圧着ローラ駆動軸（駆動手段）１２と、印字済タグラベル用テープ１１０に備えられる無線タグ回路素子Ｔo（詳細は後述）との間でＵＨＦ帯等の高周波を用いて無線通信により信号の送受を行うアンテナ（アンテナ手段）１４と、上記印字済タグラベル用テープ１１０を所定のタイミングで所定の長さに切断しラベル状の無線タグラベルＴ（詳細は後述）を生成するカッタ１５と、無線タグラベルＴを搬出口（排出口）１６へと搬送し送出する送出ローラ１７と、それらを収納するように外郭を構成し、カートリッジ１００を着脱可能に嵌合させる上記カートリッジホルダ部及び上記搬出口１６を備える筐体（ハウジング）９とを有する。
【００６８】
アンテナ１４は、一方側（この例では図２の紙面に向かって手前側）に指向性を備えた指向性アンテナ（この例では周知であり、図示および詳細な説明を省略するパッチアンテナ）で構成されるとともに上記第１ロール１０２の軸方向（図２の紙面に向かって奥側）近傍に配置されており、第１ロール１０２の基材テープ１０１の送り出し部分近傍領域Ｘと通信可能となるように配置されている。なお、この例では第１ロール１０２の一部が領域Ｘからはずれているが、第１ロール１０２のすべてが領域Ｘに含まれるようにしてもよい。
【００６９】
一方、装置本体８はまた、上記アンテナ１４を介し上記無線タグ回路素子Ｔoへアクセスする（書き込み又は読み取りを行う）ための高周波回路２１と、無線タグ回路素子Ｔoから読み出された信号を処理するための信号処理回路２２と、前述したリボン巻取りローラ駆動軸１１、圧着ローラ駆動軸１２を駆動するカートリッジ用モータ２３と、このカートリッジ用モータ２３の駆動を制御するカートリッジ駆動回路２４と、上記印字ヘッド１０への通電を制御する印刷駆動回路２５と、上記カッタ１５を駆動して切断動作を行わせるソレノイド２６と、そのソレノイド２６を制御するソレノイド駆動回路２７と、上記送出ローラ１７を駆動する送出ローラ用モータ２８と、上記高周波回路２１、信号処理回路２２、カートリッジ駆動回路２４、印刷駆動回路２５、ソレノイド駆動回路２７、送出ローラ駆動回路２９等を介し、無線タグ情報管理装置２全体の動作を制御するための制御回路３０と、各種データベース２０１を備え、例えば不揮発性のハードディスク等からなる記憶装置２００とを有する。
【００７０】
制御回路３０は、いわゆるマイクロコンピュータであり、詳細な図示を省略するが、中央演算処理装置であるＣＰＵ、ＲＯＭ、及びＲＡＭ等から構成され、ＲＡＭの一時記憶機能を利用しつつＲＯＭに予め記憶されたプログラムに従って信号処理を行うようになっている。またこの制御回路３０は、入出力インターフェイス３１（操作信号入力手段）を介し例えば通信回線に接続され、この通信回線に接続された前述のルートサーバ４、他の端末５、汎用コンピュータ６、及び情報サーバ７等との間で情報や信号のやりとり（端末５からの操作信号の入力等を含む）が可能となっている。
【００７１】
図３は、上記カートリッジ１００の詳細構造を説明するための説明図である。
【００７２】
この図３において、カートリッジ１００は、筐体１００Ａと、この筐体１００Ａ内に配置され帯状の上記基材テープ１０１が巻回された上記第１ロール１０２と、上記基材テープ１０１と略同じ幅である透明な上記カバーフィルム１０３が巻回された上記第２ロール１０４と、上記インクリボン１０５（熱転写リボン、但しカバーフィルムが感熱テープの場合は不要）を繰り出すリボン供給側ロール１１１と、印字後のリボン１０５を巻取るリボン巻取りローラ１０６と、上記基材テープ１０１と上記カバーフィルム１０３とを押圧し接着させ上記印字済タグラベル用テープとしつつ矢印Ａで示す方向にテープ送りをする（＝テープ送りローラとしても機能する）圧着ローラ１０７とを有する。
【００７３】
第１ロール１０２は、リール部材１０２ａの周りに、長手方向に複数の無線タグ回路素子Ｔoが所定の等間隔で順次形成された上記基材テープ１０１を巻回している。
【００７４】
基材テープ１０１はこの例では４層構造となっており（図３中部分拡大図参照）、内側に巻かれる側（図３中右側）よりその反対側（図３中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙１０１ｄの順序で積層され構成されている。
【００７５】
ベースフィルム１０１ｂの裏側（図３中左側）には、情報の送受信を行うアンテナ（タグ側アンテナ）１５２が一体的に設けられており、これに接続するように情報を更新可能に（書き換え可能rewritableに）記憶するＩＣ回路部１５１が形成され、これらによって無線タグ回路素子Ｔoが構成されている。
【００７６】
ベースフィルム１０１ｂの表側（図３中右側）には、後にカバーフィルム１０３を接着するための上記粘着層１０１ａが形成され、またベースフィルム１０１ｂの裏側（図３中左側）には、無線タグ回路素子Ｔoを内包するように設けた上記粘着層１０１ｃによって上記剥離紙１０１ｄがベースフィルム１０１ｂに接着されている。なお、この剥離紙１０１ｄは、最終的にラベル状に完成した無線タグラベルＴが所定の商品等に貼り付けられる際に、これを剥がすことで粘着層１０１ｃにより当該商品等に接着できるようにしたものである。
【００７７】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール１１１及び上記リボン巻取りローラ１０６で駆動されるリボン１０５が、上記印字ヘッド１０に押圧されることで当該カバーフィルム１０３の裏面に当接させられるようになっている。
【００７８】
リボン巻取りローラ１０６及び圧着ローラ１０７は、それぞれカートリッジ１００外に設けた例えばパルスモータである上記カートリッジ用モータ２３（前述の図２参照）の駆動力が上記リボン巻取りローラ駆動軸１１及び上記圧着ローラ駆動軸１２に伝達されることによって回転駆動される。
【００７９】
上記構成のカートリッジ１００において、上記第１ロール１０２より繰り出された基材テープ１０１は、圧着ローラ１０７へと供給される。一方、第２ロール１０４より繰り出されるカバーフィルム１０３は、その裏面側（すなわち上記基材テープ１０１と接着される側）に配置されたリボン供給側ロール１１１及びリボン巻取りローラ１０６で駆動されるインクリボン１０５が上記印字ヘッド１０に押圧されて当該カバーフィルム１０３の裏面に当接させられる。
【００８０】
そして、カートリッジ１００が上記装置本体８のカートリッジホルダ部に装着されロールホルダ（図示せず）が離反位置から当接位置に移動されると、カバーフィルム１０３及びインクリボン１０５が印字ヘッド１０とプラテンローラ１０８との間に狭持されるとともに、基材テープ１０１及びカバーフィルム１０３が圧着ローラ１０７とサブローラ１０９との間に狭持される。そして、カートリッジ用モータ２３の駆動力によってリボン巻取りローラ１０６及び圧着ローラ１０７が矢印Ｂ及び矢印Ｄで示す方向にそれぞれ同期して回転駆動される。このとき、前述の圧着ローラ駆動軸１２と上記サブローラ１０９及びプラテンローラ１０８はギヤ（図示せず）にて連結されており、圧着ローラ駆動軸１２の駆動に伴い圧着ローラ１０７、サブローラ１０９、及びプラテンローラ１０８が回転し、第１ロール１０２から基材テープ１０１が繰り出され、上述のように圧着ローラ１０７へ供給される。一方、第２ロール１０４からはカバーフィルム１０３が繰り出されるとともに、上記印刷駆動回路２５により印字ヘッド１０の複数の発熱素子が通電される。この結果、カバーフィルム１０３の裏面に印字Ｒ（後述の図７参照）が印刷される。そして、上記基材テープ１０１と上記印刷が終了したカバーフィルム１０３とが上記圧着ローラ１０７及びサブローラ１０９により接着されて一体化され、印字済タグラベル用テープとして形成され、カートリッジ１００外へと搬出される。なお、カバーフィルム１０３への印字が終了したインクリボン１０５は、リボン巻取りローラ駆動軸１１の駆動によりリボン巻取りローラ１０６に巻取られる。また、第１ロール１０２の繰り出し近傍にはガイドローラ１２０が設けられており、第１ロール１０２の残量により外径が変化しても装置側のアンテナ１４と無線タグラベルＴの位置関係が所定の範囲となるように規制して、無線タグ回路素子Ｔoとの通信条件を一定に保つようになっている。
【００８１】
図４は、上記高周波回路２１の詳細機能を表す機能ブロック図である。この図４において、高周波回路２１は、アンテナ１４を介し無線タグ回路素子Ｔoに対して信号を送信する送信部３２と、アンテナ１４により受信された無線タグ回路素子Ｔoからの反射波を入力する受信部３３と、送受分離器３４とから構成される。
【００８２】
送信部３２は、無線タグ回路素子ＴoのＩＣ回路部１５１の無線タグ情報にアクセスする(書き込み又は読み取りを行う)ための搬送波を発生させる水晶振動子３５、ＰＬＬ（Phase
Locked Loop）３６、及びＶＣＯ（Voltage Controlled  Oscillator）３７と、上記信号処理回路２２から供給される信号に基づいて上記発生させられた搬送波（無線タグ情報）を変調（この例では信号処理回路２２からの「ＴＸ＿ＡＳＫ」信号に基づく振幅変調）する送信乗算回路３８（但し振幅変調の場合は増幅率可変アンプ等を用いてもよい）と、その送信乗算回路３８により変調された変調波を、制御回路３０からの「ＴＸ＿ＰＷＲ」信号によって増幅率を決定し増幅する可変送信アンプ３９とを備えている。そして、上記発生される搬送波は、好適にはＵＨＦ帯の周波数を用いており、上記送信アンプ３９の出力は、送受分離器３４を介してアンテナ１４に伝達されて無線タグ回路素子ＴoのＩＣ回路部１５１に供給される。なお、無線タグ情報は上記のように変調した信号に限られず、単なる搬送波のみの場合もある。
【００８３】
受信部３３は、アンテナ１４により受信された無線タグ回路素子Ｔoからの反射波と上記発生させられた搬送波とを掛け合わせる受信第１乗算回路４０と、その受信第１乗算回路４０の出力から必要な帯域の信号のみを取り出すための第１バンドパスフィルタ４１と、この第１バンドパスフィルタ４１の出力を増幅して第１リミッタ４２に供給する受信第１アンプ４３と、上記アンテナ１４により受信された無線タグ回路素子Ｔoからの反射波と上記発生された後に移送器４９で位相を９０°遅らせた搬送波とを掛け合わせる受信第２乗算回路４４と、その受信第２乗算回路４４の出力から必要な帯域の信号のみを取り出すための第２バンドパスフィルタ４５と、この第２バンドパスフィルタ４５の出力を入力するとともに増幅して第２リミッタ４６に供給する受信第２アンプ４７とを備えている。そして、上記第１リミッタ４２から出力される信号「ＲＸＳ−Ｉ」及び第２リミッタ４６から出力される信号「ＲＸＳ−Ｑ」は、上記信号処理回路２２に入力されて処理される。
【００８４】
また、受信第１アンプ４３及び受信第２アンプ４７の出力は、ＲＳＳＩ（Received  Signal  Strength  Indicator)回路４８にも入力され、それらの信号の強度を示す信号「ＲＳＳＩ」が信号処理回路２２に入力されるようになっている。このようにして、本実施形態の無線タグ情報管理装置２では、Ｉ−Ｑ直交復調によって無線タグ回路素子Ｔoからの反射波の復調が行われる。
【００８５】
図５は、上記無線タグ回路素子Ｔoの機能的構成を表す機能ブロック図である。  この図５において、無線タグ回路素子Ｔoは、無線タグ情報管理装置２側のアンテナ１４とＵＨＦ帯等の高周波を用いて非接触で信号の送受信を行う上記アンテナ１５２と、このアンテナ１５２に接続された上記ＩＣ回路部１５１とを有している。
【００８６】
ＩＣ回路部１５１は、アンテナ１５２により受信された搬送波を整流する整流部１５３と、この整流部１５３により整流された搬送波のエネルギを蓄積しＩＣ回路部１５１の駆動電源とするための電源部１５４と、上記アンテナ１５２により受信された搬送波からクロック信号を抽出して制御部１５５に供給するクロック抽出部１５６と、所定の情報信号を記憶し得るメモリ部１５７と、上記アンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００８７】
変復調部１５８は、アンテナ１５２により受信された上記無線タグ情報管理装置２のアンテナ１４からの通信信号の復調を行うと共に、上記制御部１５５からの応答信号に基づき、アンテナ１５２より受信された搬送波を変調反射する。
【００８８】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８９】
図６（ａ）及び図６（ｂ）は、上述のようにして無線タグ回路素子Ｔoの情報書き込み及び印字済タグラベル用テープ１１０の切断が完了し形成された無線タグラベルＴの外観の一例を表す図であり、図６（ａ）は上面図、図６（ｂ）は下面図である。また図７は、図６中VII−VII′断面による横断面図である。
【００９０】
これら図６（ａ）、図６（ｂ）、及び図７において、無線タグラベルＴは、図  ３に示した４層構造にカバーフィルム１０３が加わった５層構造となっており、カバーフィルム１０３側（図７中上側）よりその反対側（図７中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたアンテナ１５２を含む無線タグ回路素子Ｔoが粘着層１０１ｃ内に備えられるとともに、カバーフィルム１０３の裏面に印字Ｒ（この例では無線タグラベルＴの種類を示す「ＲＦ−ＩＤ」の文字）が印刷されている。
【００９１】
図８は、上述したような無線タグ情報管理装置２による無線タグ回路素子ＴoのＩＣ回路部１５１の無線タグ情報へのアクセス(書き込み又は読み取り)に際して、上記した端末５（又は汎用コンピュータ６でもよい）に表示される画面の一例を表す図である。
【００９２】
図８において、この例では、タグラベル種別、無線タグ回路素子Ｔoに対応して印刷された印字文字Ｒ、その無線タグ回路素子Ｔoに固有のタグＩＤであるアクセス（読み取り又は書き込み）ＩＤ、上記記憶装置２００のデータベース２０１に記憶された（詳細は後述）物品情報（対象物情報）のアドレス、及び上記情報サーバ７やルートサーバ４におけるそれらの関連情報（後述の図１１、図１２参照）の格納先アドレス等が上記端末５（又は汎用コンピュータ６でもよい）に表示可能となっている。
【００９３】
そして、端末５（又は汎用コンピュータ６でもよい）の操作により無線タグ情報管理装置２が作動されて、カバーフィルム１０３に上記印字文字Ｒが印刷されると共に、後述するようにＩＣ回路部１５１に上記書き込みＩＤやさらにこれに対応する物品情報等の対象物情報が書き込まれる（又はＩＣ回路部１５１に予め記憶されたタグＩＤが読みとられる）。
【００９４】
上記のような書き込み（又は読み取り）の際、書き込まれた（又は読み取られた）無線タグラベルＴのタグＩＤ（識別情報）と、その無線タグラベルＴの対象物（無線タグラベルＴが添付、貼着、取り付け、同梱される物品・商品・部材・機械・設備等）の情報（物品情報等の対象物情報）等との対応関係（＝相関情報；いわゆるひも付け情報）は、前述の記憶装置２００のデータベース２０１に記憶され（なお、さらにルートサーバ４に記憶させてもよい）、必要に応じて参照できるようになっている。なおこの相関情報に加えて、上記対象物情報等についても併せて上記データベース２０１に記憶格納してもよい（後述の図１１、図１２参照）。なお、相関情報（いわゆるひも付け情報）のみを記憶装置２００のデータベース２０１に記憶させる場合には、対象物情報等は例えば情報サーバ７（装置外データベース）に参照可能に記憶させればよい。
【００９５】
上記構成の無線タグ情報管理装置２を備えた無線タグ情報管理システム１において、その要部は、自らデータベース２０１を構成する記憶装置２００を備えた無線タグ情報管理装置２が、アンテナ１４を介したタグ情報アクセス機能、記憶装置２００へのアクセス機能、印字ヘッド１０による印字機能の３つを備えており、装置外の端末５の１つの操作信号に含まれる互いに関連づけられたタグ情報アクセス指令、記憶装置アクセス指令、印字指令に応じて、上記３つの機能を一括して実行することにある。以下、その詳細を順を追って説明する。
【００９６】
図９は、端末（操作端末）５からの操作信号に基づき、上記した無線タグ情報管理装置２の３つの機能（記憶装置アクセス機能、タグ情報アクセス機能、印字機能）がそれぞれ実行される際の概念的なタイムチャートである。
【００９７】
この図９において、実際のデータのやりとりの前に、まず端末５からカートリッジ種別を問い合わせるステータス問い合わせ信号が出力される（ステップＳＳ５０１）。すなわち、カートリッジ１００は、基材テープ１０１に備えられる無線タグ回路素子Ｔoに関連するタグ属性パラメータ（テープ幅、タグ配置間隔、タグ感度等）又は通信パラメータ（周波数、通信プロトコル等）が異なるごとに、それぞれ別の種類のカートリッジとして構成されており、各カートリッジ１００の適宜の箇所に、それらカートリッジ種類を表す情報を含む被検出部が設けられている。そして、無線タグ情報管理装置２のカートリッジホルダ部には、この被検出部のカートリッジ種類情報を読み取る適宜の検出手段（例えばメカニカルスイッチ等の機械的センサ、バーコードスキャナ等の光学的センサあるいは磁気的センサ、無線通信による検出等）が設けられている。このカートリッジ種別に係わる検出結果は例えば制御回路３０に入力され、上記ステータス問い合わせ信号に対応して制御回路３０から上記検出結果に基づくカートリッジ種別情報がステータス応答信号として端末５へ出力される（ステップＳＳ５０２）。
【００９８】
このとき、無線タグ情報管理装置２内の記憶装置２００のデータベース２０１には、詳細には複数のデータベース２０１Ａ，２０１Ｂ，…が含まれている（後述の図１０参照）。操作者が端末５を操作してそれらのうちどのデータベースのデータを用いるかを選択すると、これに応じたデータベース参照指令信号が制御回路３０を介して記憶装置２００へと出力され（ステップＳＳ５０３）、これに応じてデータベースに既に登録されたデータ（＝この例では無線タグラベルＴの対象物情報データ等）のデータレコード（群）が記憶装置２００から抽出されて参照データとして制御回路３０２を介して端末５の上記表示手段に例えば一覧表示される（ステップＳＳ５０４）。
【００９９】
操作者は、上記表示手段に表示された参照データを見て、例えばこれから当該データに係わるタグラベルＴを発行するあるいはデータ編集のみを行う等、自分が取り扱おうとしているデータが既に登録されている場合には、その登録データ一覧から当該データの選択を行う（ステップＳＳ５０５）。未登録である場合には、新たに対応するデータベースに当該データの入力を行って登録する（ステップＳＳ５０６）。
【０１００】
このようにしてデータ選択あるいはデータ登録が終了したデータについて、無線タグラベルＴ（但し後述のように無線タグ回路素子Ｔoのない単なる印字ラベルの発行も可能である）の発行（＝作成）を行わない場合は、そのまま操作終了となるが（ステップＳＳ５０７）、発行を行う場合は、まず今までに当該データについて無線タグラベルＴを発行してことがなく今回新規発行であるか、既に発行したことがあるかによって端末５における操作・動作が分かれる。
【０１０１】
新規発行の場合には、端末５において対応する適宜の操作を行うことにより、作成される無線タグラベルＴの外観（印字態様）のイメージが無線タグ情報管理装置２の制御回路２０にて作成され、端末５の表示手段に表示される（ステップＳＳ５０８）。
【０１０２】
既発行の場合には、端末５において、既発行無線タグラベルＴのタグ不良による再発行（不良再発行）か、既発行無線タグラベルＴを紛失したことによる再発行（紛失再発行）か、既発行無線タグラベルＴにさらに追加して同一ラベルを発行する（追加発行）かによりさらに分かれる。不良再発行及び追加発行の場合は端末５において対応する適宜の操作を行う（後述の図１３参照）ことにより、上記同様に無線タグ情報管理装置２の制御回路２０にて無線タグラベルＴの外観イメージが作成され、端末５に表示される（ステップＳＳ５０９）。紛失再発行の場合には、端末５において対応する適宜の操作を行う（ステップＳＳ５１０、後述の図１３も参照）と、当該紛失した無線タグラベルＴの無線タグ回路素子Ｔoの機能を無効化するための無効化指令信号が端末５から記憶装置２００へと出力され（ステップＳＳ５１１）、記憶装置２００において当該無効化処理がなされる（後述の図１１及び図１２の有効／無効フラグ参照）。その後、上記同様に無線タグラベルＴの外観イメージが作成され表示される（ステップＳＳ５１２）。
【０１０３】
その後、上記のようにして作成されプレビュー表示された無線タグラベルＴの外見イメージは当該データ（対象物情報等）あるいはタグＩＤと関連づけて対応するデータベースに格納保持される（ステップＳＳ５１３）。
【０１０４】
そして、以上の段階をふまえて操作者が端末５においてタグ作成（発行）開始の旨を操作（指示）入力すると、前述したようにタグ情報アクセス（＝この例ではデータ書き込み）指令、印字指令、記憶装置アクセス（発行データ登録）指令からなる１つの操作信号が無線タグ情報管理装置２側へ出力される。印字指令信号は制御回路３０を介し印刷駆動回路２５へ入力され（ステップＳＳ５１４）、印字ヘッド１０を駆動してカバーフィルム１０３に対し対応する印字が行われる。データ書き込み指令信号は制御回路３０を介し信号処理回路２２及び高周波回路２１へ入力され（ステップＳＳ５１５）、アンテナ１４を介しタグＩＤ等の情報書き込みが行われる。発行データ登録指令は制御回路３０へ入力され、上記データ書き込みが成功した旨の報告信号（ステップＳＳ５１７）及び上記印字が成功した旨の報告信号（ステップＳＳ５１８）が制御回路３０へ入力されるのを待って、これを確認して制御回路３０から当該書き込んだタグＩＤと対象物情報等との相関（ひも付け）情報（あるいはさらに併せて対象物情報も）を記憶装置２００のデータベース２０１へ発行データとして登録する（ステップＳＳ５１９）。そして、登録した旨のデータ書き込み成功報告信号が制御回路３０側より操作端末５へ出力される（ステップＳＳ５２０）。なお、印字又は書き込みが失敗した場合には、その旨のデータ書き込み失敗報告信号（ステップＳＳ５２１Ａ）及び印字失敗報告信号（ステップＳＳ５２１Ｂ）が制御回路３０側より操作端末５へ出力される。そして、操作端末５の表示手段において、それら報告信号に対応する結果表示（成功表示又はエラー表示）が行われる（ステップＳＳ５２２）。
【０１０５】
図１０は、上記図９のステップＳＳ５０３にてデータベース参照指令信号が端末５から記憶装置２００へと出力されるにあたり端末５の表示手段において表示されるデータベース選択用の画面である。図１０においては、無線タグ情報管理装置２の上記記憶装置２００のデータベース２０１として社員情報データベース２０１Ａ、物品情報データベース２０１Ｂ、顧客情報データベース２０１Ｃ、特許情報データベース２０１Ｄの４つが備えられている場合を例にとって表している。これら４つのうち選択したデータベース２０１について、前述したようにステップＳＳ５０３にて参照指令信号が記憶装置２００へと出力され、当該データベース２０１からデータレコード（群）が参照データとして端末５の表示手段に表示される。
【０１０６】
図１１はこうして表示されたデータレコードの一例を表す図である。この例では、例えば無線タグラベルＴの取扱対象物として社員の名札を作成するために、図１０に示した上記社員情報データベース２０１Ａを選択した場合に参照データとして端末５に表示されるレコードを示している。図示のように、この例では、レコード項目として「社員コード」「氏名」「フリガナ」「性別コード」「所属部門コード」「内線番号」「電子メールアドレス」「顔写真ファイル名」「ラベル基材色コード」「ラベル印字色コード」「ラベルイメージファイル名」「ＩＤビット長」「タグＩＤ（１６進法表記）」「プロトコルコード」「発行日」「発行理由コード」「有効／無効フラグ」の各欄が設けられている。
【０１０７】
これらのうち、「社員コード」「氏名」「フリガナ」「性別コード」「所属部門コード」「内線番号」「電子メールアドレス」「顔写真ファイル名」がいわゆる対象物情報（名札を着用する社員の情報）であり、これら対象物情報と「タグＩＤ」とがこの横一列の表によって関連づけられていることがこれら対象物情報とタグＩＤとの相関情報（ひも付け情報）を実質的に形成している。
【０１０８】
また「ラベル基材色コード」「ラベル印字色コード」「ラベルイメージファイル名」「ＩＤビット長」「プロトコルコード」「発行日」「発行理由コード」「有効／無効フラグ」はその他この無線タグラベルＴに関して付随する情報である。
【０１０９】
それらのうち「発行理由コード」は「０」であると初回発行（＝新規発行）を表しており、「１」であると故障（タグ不良、前述の図９のステップＳＳ５０９参照）による不良再発行を表しており、「２」であると紛失再発行（図９のステップＳＳ５１０）を表している。なお、不良再発行時にも前回発行時のデータレコードが消えるわけではなく、今回レコードは前回レコードと「タグＩＤ」が同じになり、「発行日」「発行理由コード」が異なることとなる。紛失再発行時にも前回発行時のデータレコードは消えないが、今回レコードは前回レコードと異なる「タグＩＤ」となり、「発行日」「発行理由コード」も異なることとなる。
【０１１０】
また「有効／無効フラグ」は「１」であると無線タグ回路素子Ｔoが正常に機能しており、「０」であると無線タグ回路素子Ｔoが正常に機能していない（無線タグ情報管理装置２側のコマンド送信により機能が無効化・休眠化されている場合と、読み取り・書き込みや印字が失敗した状態の場合とを含む）ことを表している。読み取り・書き込みや印字失敗時には、例えばこの「有効／無効フラグ」が「０」となるとともに、発行日も「００００００」となる。この場合、図９に示すステップＳＳ５１６のデータ登録指令信号を受信した段階で仮登録としてとりあえずこの「有効／無効フラグ」を暫定的に「１」として登録しておき、例えばステップＳＳ５１７やステップＳＳ５１８で読み取り又は書き込みや印字成功報告が制御回路３０で所定時間内に受信されなかった段階で（あるいは別途失敗報告を制御回路３０内にて受信するようにしてもよい）、さらにはこのことが端末５にて表示あるいは承認された段階で、制御回路３０が当該データベース２０１Ａにアクセスし、レコードの上記「１」を「０」に置き換えるようにしてもよい（逆に指令受信時に暫定的に「０」としておき、アクセス成功報告時に「１」と置き換えるようにしてもよい）。またこのとき、さらに読み取り・書き込み又は印字のリトライ（再試行）を行うようにし、その場合には新たなレコードを作成せず同一のレコードのまま読み取り・書き込み及び印字が成功したときに「０」を「１」に書き換えるようにしてもよい。いずれの場合も、各請求項記載の、タグアクセス判定手段（又は印字判定手段）の判定結果に応じて記憶装置のデータベース内の記憶情報を有効化又は無効化するデータアクセス手段に相当している。
【０１１１】
図１２はデータレコードの他の表示例を表す図である。この例では、例えば無線タグラベルＴの取扱対象物として社内管理部品の管理ラベルを作成するために、図１０に示した上記物品情報データベース２０１Ｂを選択した場合に参照データとして端末５に表示されるレコードを示している。図示のように、この例では、レコード項目として「物品コード」「品名」「型番」「購入日」「管理部門コード」「管理者コード」「写真ファイル名」「ラベル基材色コード」「ラベル印字色コード」「ラベルイメージファイル名」「ＩＤビット長」「タグＩＤ（１６進法表記）」「プロトコルコード」「発行日」「発行理由コード」「有効／無効フラグ」の各欄が設けられている。またこの場合におけるラベルイメージファイルの例を併せて示す。
【０１１２】
これらのうち、「物品コード」「品名」「型番」「購入日」「管理部門コード」「管理者コード」「写真ファイル名」がいわゆる対象物情報（ラベルを貼る物品の情報）であり、前述と同様、これら対象物情報と「タグＩＤ」とがこの横一列の表によって関連づけられていることがこれら対象物情報とタグＩＤとの相関情報（ひも付け情報）を実質的に形成している。
【０１１３】
また前述と同様「ラベル基材色コード」「ラベル印字色コード」「ラベルイメージファイル名」「ＩＤビット長」「プロトコルコード」「発行日」「発行理由コード」「有効／無効フラグ」は無線タグラベルＴに関して付随する情報である。
【０１１４】
なお、「発行理由コード」「タグＩＤ」「発行日」「発行理由コード」等の取扱いは前述と同様であるので、説明を省略する。
【０１１５】
図１３は、上記図９のステップＳＳ５０９及びステップＳＳ５１０にて紛失再発行か不良再発行かに対応して端末５にて操作者が操作を行うために表示手段において表示される選択操作用の画面である。図１３においては、再発行事由として、上記不良再発行に対応するチェックボックス２０２Ａ、紛失再発行に対応するチェックボックス２０２Ｂとが設けられている。チェックボックス２０２Ａを選択し発行ボタン２０３を操作すると、前述したようにステップＳＳ５０９にて端末５において無線タグラベルＴの外観イメージが生成されて表示される。チェックボックス２０２Ｂを選択し発行ボタン２０３を操作すると、前述したようにステップＳＳ５１１において無効化指令信号が端末５から記憶装置２００へと出力された後、ステップＳＳ５１２で上記同様の無線タグラベルＴの外観イメージが表示される。
【０１１６】
なお、この例では、再発行とは関係ないが、無線タグ情報管理装置２において、カートリッジホルダ部に無線タグ回路素子Ｔoのない基材テープを備えたカートリッジを装着してタグ無しラベルが作成可能となっている場合に対応したチェックボックス２０２Ｃが併せて表示される例を示している。このチェックボックス２０２Ｃを選択し発行ボタン２０３を操作することにより、例えば図９に示したステップＳＳ５１５、ステップＳＳ５１７、及びステップＳＳ５２０は実行されず、ステップＳＳ５１９では印字ヘッド１０での印字成功報告（ステップＳＳ５１８）のみが確認されたらステップＳＳ５１６のデータ登録指令信号に基づきデータベース２０１への登録を行う。このようにしてこの無線タグ情報管理システム１ではタグ無しの通常の印字ラベルの作成及びこれに伴うデータ（印字データのみ）も可能となっている。
【０１１７】
一方、図９のステップＳＳ５１４の印字指令信号、ステップＳＳ５１５のデータ書き込み指令信号、ステップＳＳ５１６のデータ登録指令信号に応じて、無線タグ情報管理装置２では、アンテナ１４から無線タグ回路素子ＴoのＩＣ回路部１５１への情報（タグＩＤ）書き込み、印字ヘッド１０による印字、さらにデータベース２０１へのデータ（上記タグＩＤを含む図１１や図１２に例示したデータレコード）の登録を行う。図１４は、これらを行う際に、制御回路３０によって実行される制御手順を表すフローチャートである。
【０１１８】
この図１４において、端末５における所定の操作により上記印字指令信号、データ書き込み指令信号、及びデータ登録指令信号を含む前述の操作信号が通信回線３及び入出力インターフェイス３１を介し制御回路３０に入力（識別）されると（上記図９のステップＳＳ５１４、ステップＳＳ５１５、ステップＳＳ５１６参照）このフローが開始される。そして、まずステップＳ１０において、上記端末５からのデータ書き込み指令信号に基づく、アンテナ１４より無線タグ回路素子ＴoのＩＣ回路部１５１へ書き込むべき情報（タグＩＤ等）と、印字ヘッド１０により無線タグラベルＴへ印字すべき印字情報（例えば対応する無線タグ回路素子ＴoのタグＩＤそのもの又は無線タグラベルＴの用途に応じた情報等）とが取得される。
【０１１９】
その後、ステップＳ１５に移り、無線タグ回路素子Ｔoからの応答がない場合にリトライ（再試行）を行う回数をカウントする変数Ｎ、及び通信良好か不良かを表すフラグＦを０に初期化する。
【０１２０】
そして、ステップＳ２０において、カートリッジ駆動回路２４に制御信号を出力し、カートリッジ用モータ２３の駆動力によってリボン巻取りローラ１０６及び圧着ローラ１０７を回転駆動させる。これにより、第１ロール１０２から基材テープ１０１が繰り出され圧着ローラ１０７へ供給されるとともに、第２ロール１０４からはカバーフィルム１０３が繰り出される。さらに送出ローラ駆動回路２９を介して送出ローラ用モータ２８に制御信号を出力し、送出ローラ１７を回転駆動させる。以上の結果、前述したように基材テープ１０１と（後述のように印刷が終了した）カバーフィルム１０３とが上記圧着ローラ１０７及びサブローラ１０９により接着されて一体化され、印字済タグラベル用テープ１１０としてカートリッジ体１００外方向へと搬送されていくように、各テープ１０１，１０３，１１０が駆動開始される。
【０１２１】
次に、ステップＳ３０において、書き込みたい所定の無線タグ情報（タグＩＤ等）を無線タグ回路素子Ｔoに送信し書き込む書き込み処理を行う（詳細は後述の図１５を参照）。
【０１２２】
そして、ステップＳ３５に移り、印刷駆動回路２５に制御信号を出力し、印字ヘッド１０を通電して、カバーフィルム１０３のうち所定の領域（例えば基材テープ１０１に所定ピッチで等間隔で配置された無線タグ回路素子Ｔoの裏面に貼り合わせることとなる領域）に、ステップＳ１０で取得した文字、記号、バーコード等の印字Ｒを印刷させる。ステップＳ３５が終了すると、ステップＳ３９に移る。
【０１２３】
ステップＳ３９では、フラグＦ＝０であるかどうかが判定される。書き込み処理が正常に完了していればＦ＝０のまま（後述の図１５に示すフローのステップＳ３８参照）であるので、この判定が満たされ、ステップＳ５０に移る。
【０１２４】
ステップＳ５０では、カバーフィルム１０３のうちこの時点で処理対象としている無線タグ回路素子Ｔoに対応する領域への印字がすべて完了しているかどうかを確認した後、ステップＳ６０へ移る。
【０１２５】
なお、何らかの理由で書き込み処理が正常に完了していない場合はＦ＝１とされている（後述の図１５に示すフローのステップＳ３８参照）ので前述のステップＳ３９の判定が満たされず、ステップＳ４５に移り、印刷駆動回路２５に制御信号を出力して印字ヘッド１０を通電を中止し印字を停止させる。このように印字中途停止によって当該無線タグ回路素子Ｔoが正常品でないことを明らかに表示するようにした後、上記ステップＳ６０へ移る。
【０１２６】
ステップＳ６０では、印字済タグラベル用テープ１１０がカッタ１５で切断されるべき所定位置にまで搬送されたかどうかを判定する。具体的には、例えば、対象とする無線タグ回路素子Ｔo及びこれに対応するカバーフィルム１０３の印字領域のすべてがカッタ１５を所定の長さ(余白量)分だけ越えたかどうかを、基材テープ１０１（詳細には例えば剥離紙１０１ｄ、あるいはカバーフィルム１０３等でもよい）に対し各無線タグ回路素子Ｔoに対応して設けた適宜の識別用マークをカートリッジ１００外（例えばカッタ１５のさらに搬送方向下流側）に設けた公知のテープセンサで検出することにより行えば足りる。またこのような検出を行わず、印字Ｒの印字文字長に所定の余白領域分を加えた長さが無線タグ回路素子Ｔoの全長を超えているかどうかを印字情報に基づき判定する（超えていれば、少なくともカバーフィルム１０３の印字が完了した段階でその余白領域外をカッタ１５で切断するようにすれば、貼り合わせられる無線タグ回路素子Ｔoを切断することは回避できるため）ことで代用してもよい。
【０１２７】
この判定が満たされたら、ステップＳ７０に移る。ステップＳ７０では、カートリッジ駆動回路２４及び送出ローラ駆動回路２９に制御信号を出力し、カートリッジ用モータ２３及び送出ローラ用モータ２８の駆動を停止して、リボン巻取りローラ１０６、圧着ローラ１０７、送出ローラ１７の回転を停止する。これにより、第１ロール１０２からの基材テープ１０１の繰り出し、第２ロール１０４からのカバーフィルム１０３の繰り出し、及び送出ローラ１７による印字済タグラベル用テープ１１０の搬送が停止する。
【０１２８】
その後、ステップＳ８０でソレノイド駆動回路２７に制御信号を出力してソレノイド２６を駆動し、カッタ１５によって印字済タグラベル用テープ１１０の切断を行う。前述したように、この時点で、例えば処理対象の無線タグ回路素子Ｔo及びこれに対応するカバーフィルム１０３の印字領域のすべてがカッタ１５を十分に越えており、このカッタ１５の切断によって、無線タグ回路素子Ｔoの無線タグ情報が読み取られかつこれに対応する所定の印字が行われたラベル状の無線タグラベルＴが生成される。
【０１２９】
その後、ステップＳ９０に移り、送出ローラ用駆動回路２９に制御信号を出力し、送出ローラ用モータ２８の駆動を再開して、送出ローラ１７を回転させる。これにより、送出ローラ１７による搬送が再開されて上記ステップＳ１５０でラベル状に生成された無線タグラベルＴが搬出口１６へ向かって搬送され、搬出口１６から装置２外へと排出される。
【０１３０】
そして、ステップＳ１００において、カートリッジ１００内の通信範囲（前述の領域Ｘ）に残存する無線タグラベル回路素子Ｔoに備えられたＩＣ回路部１５１の全無線タグ情報を消去（初期化）する。詳細には、無線タグ回路素子Ｔoのメモリ部１５７に記憶された情報を初期化する「Erase」コマンドを信号処理回路２２に出力する。これに基づき信号処理回路２２で「Erase」信号が生成されて高周波回路２１の送信部３２及びアンテナ１４を介し通信範囲（上記領域Ｘ）内の全無線タグ回路素子Ｔoに送信され、そのメモリ部１５７を初期化する。
【０１３１】
その後、ステップＳ１１０に移り、フラグＦ＝０であるかどうかが判定される。書き込み処理が正常に完了していればＦ＝０のまま（後述の図１５に示すフローのステップＳ３８参照）であって判定が満たされ（上記図９のステップＳ５１７に対応）、またこの場合はステップＳ３９における判定が満たされてステップＳ５０において印字が正常に完了している（上記図９のステップＳ５１８に対応）ことから、ステップＳ１２０に移り、上記ステップＳ３０で無線タグ回路素子Ｔoへ書き込んだ無線タグ情報（タグＩＤ等）と、これに対応して印字ヘッド１０により印字された印字情報との組み合わせを、他の関連情報（この例では無線タグラベルＴの対象物情報も含む）とともに、記憶装置２００のデータベース２０１に書き込み登録する（上記図９のステップＳＳ５１９に対応；なお既に登録されている場合は上書き更新する）。この記憶データは必要に応じて端末５（又は汎用コンピュータ６）より参照可能にデータベース２０１内に格納保持される。
【０１３２】
なお、何らかの理由で書き込み処理が正常に完了していない場合はＦ＝１とされている（後述の図１５に示すフローのステップＳ３８参照）ので前述のステップＳ１１０の判定が満たされず、ステップＳ１３０に移り、エラー表示信号を入出力インターフェイス３１及び通信回線３を介し上記端末５（又は汎用コンピュータ６）へ出力し（上記図９のステップＳＳ５２０，ステップＳＳ５２１に対応）、対応する書き込み失敗（エラー）表示を行わせ（ステップＳＳ５２２対応）、このフローを終了する。
【０１３３】
図１５は、上記ステップＳ３０の詳細手順を表すフローチャートである。
【０１３４】
図１５において、図１４における前述のステップＳ２０が終了すると、まずステップＳ３１に移り、所望のデータをメモリ部１５７に書き込む「Program」コマンドを信号処理回路２２に出力する。これに基づき信号処理回路２２で本来書き込みたいタグＩＤを含む無線タグ情報としての「Program」信号が生成されて高周波回路２１の送信部３２及びアンテナ１４を介して通信可能エリア内（前述の領域Ｘ内）にあるすべての無線タグ回路素子Ｔoに送信され、そのメモリ部１５７に情報が書き込まれる。
【０１３５】
その後、ステップＳ３２において、メモリ部１５７の内容を確認する「Verify」コマンドを信号処理回路２２に出力する。これに基づき信号処理回路２２で「Verify」信号が生成されて高周波回路２１の送信部３２及びアンテナ１４を介して上記通信可能エリア内の全無線タグ回路素子Ｔoに送信され、返信を促す。
【０１３６】
そして、ステップＳ３３に移り、上記「Verify」信号に対応して上記通信可能エリア内の全無線タグ回路素子Ｔoから送信（返信）されたリプライ（応答）信号をアンテナ１４を介して受信し、高周波回路２１の受信部３３及び信号処理回路２２を介し取り込む。
【０１３７】
次に、ステップＳ３４において、上記ステップＳ３３の受信結果に基づき、上記通信エリア内の全無線タグ回路素子Ｔoのうち、少なくとも１つから何らかの有効なリプライ信号（メモリ部１５７に正常に記憶されたことを表す信号）が受信されたかどうかを判定する。
【０１３８】
判定が満たされたら、上記領域Ｘ内の少なくとも１つの無線タグ回路素子Ｔoには正しく書き込まれており、領域Ｘ内の全無線タグ回路素子Ｔoへの書き込み失敗は回避されていることから、このルーチンを終了する。判定が満たされない場合はステップＳ３５に移ってＮに１を加え、さらにステップＳ３６においてＮ＝５かどうかが判定される。Ｎ≦４の場合は判定が満たされずステップＳ３１に戻り同様の手順を繰り返す。Ｎ＝５の場合は前述したステップＳ３８でフラグＦ＝１としてこのルーチンを終了する。このようにして情報書き込みが不調でも５回までは再試行が行われる。このように、アンテナ１４から領域Ｘ内における無線タグ回路素子Ｔoへの情報書き込みが万が一不調であった場合でも、所定回数Ｎ回（上記の例ではＮ＝５）までは再試行を行うので、書き込み信頼性の確保上、万全を期すことができる。また、上記において、前述のリトライＮ回の間、書き込み送信パワーを順次増大させるようにしてもよい。また、Ｎ回リトライに失敗して図１５のステップＳ３８でフラグＦ＝１にした後、図１４のステップＳ４５で印字を停止するのではなく、その書き込み（リトライ）失敗の旨の何らかの（警告）印字等を行うようにしてもよい。
【０１３９】
以上において、制御回路３０、信号処理回路２２、及び高周波回路送信部３２が、各請求項記載の、前記タグ情報アクセス指令に基づき前記アンテナ手段を介し前記無線タグ回路素子のＩＣ回路部にアクセスを行うタグアクセス手段を構成する。
【０１４０】
また、制御回路３０の実行する図１４のフローのステップＳ１２０が、記憶装置アクセス指令に基づき、データベースにアクセスを行うデータアクセス手段を構成し、図１５のフローのステップＳ３４、ステップＳ３５、及びステップＳ３６が、タグアクセス手段によるＩＣ回路部へのアクセスの成否を判定するタグアクセス判定手段を構成し、図１４のフローの（ステップＳ５０を経た後の）ステップＳ１１０が、印字手段による印字の成否を判定する印字判定手段を構成する。
【０１４１】
さらに、図９を用いて説明したステップＳＳ５０３の手順において、制御回路３０から記憶装置２００へとデータベース参照指令信号を送信することが、データベースアクセス手段によるデータベースへのアクセスに先立ち、記憶装置アクセス指令に対応する相関情報がデータベースに既に格納されているかどうかを参照する相関情報参照手段を構成する。
【０１４２】
以上説明した本実施形態の無線タグ情報管理装置２においては、上述したように、操作者が端末５を操作して生成された操作信号が、互いに関連づけられたタグ情報アクセス指令、記憶装置アクセス指令、印字指令の３つの指令を含んでいる。３つの指令のうちタグアクセス指令は制御回路３０を介して信号処理回路２２及び高周波回路２１に入力され、アンテナ１４を介して無線タグ回路素子ＴoのＩＣ回路部１５１に対しタグＩＤ等の情報の読み取り又は書き込みが行われる。また記憶装置アクセス指令は制御回路３０に入力され、制御回路３０はこの指令に基づき記憶装置２００内のデータベース２０１にアクセスし、無線タグラベルＴの取り付け対象物情報とこれに対応するタグＩＤ等の書き込み（登録）を行う。さらに印字指令は制御回路３０、印刷駆動回路２５を介し印字ヘッド１０に入力され、印字ヘッド１０がこの指令に基づきカバーフィルム１０３に所定の印字を行う。
【０１４３】
以上のように、本実施形態では、記憶装置２００を無線タグ情報管理装置２側に備えることにより、無線タグ回路素子Ｔoと印字付きのラベルとを備えた無線タグラベルＴを作成するのに必要な３つの機能、すなわちタグアクセス機能、データベースアクセス機能、印字機能のすべてを、（この例では端末５からの）１つの操作信号を元にその１つの信号に含まれる３つの指令（＝タグ情報アクセス指令、記憶装置アクセス指令、印字指令）によって一括して実行する。これにより、タグアクセス機能及び印字機能のみを装置内に有し装置外部にデータベースを備えネットワーク通信を介しデータベースアクセスを行う場合のように、ネットワーク通信環境の良否によりデータベース２０１へのアクセスの円滑性が阻害されることが防止される。したがって、円滑、迅速、かつ信頼性の高い無線タグ情報の管理を実現することができる。
【０１４４】
また本実施形態では特に、前述したように、タグアクセスの結果又は印字の結果に応じて、記憶装置２００のデータベース２０１内の記憶情報を上書き更新することができ（図９のステップＳＳ５１７、ステップＳＳ５１８、ステップＳＳ５１９）、さらには意図的に有効化又は無効化することも可能である（図１１及び図１２における有効／無効フラグ及びその説明を参照）。このように、タグアクセスの結果又は印字結果を、装置２内のみの信号経路を介しデータベース２０１側の情報へ反映させることにより、タグアクセス機能及び印字機能のみを装置内に有し装置外部にデータベースを備えネットワーク通信を介しデータベースアクセスを行う場合のように、ネットワーク通信環境の良否によりタグアクセス結果や印字結果とデータベース内データとのリンク付けに支障が生じることが防止される。この結果、円滑、迅速、かつ信頼性の高い無線タグ情報の管理を確実に実現することができる。
【０１４５】
さらに、本実施形態では特に、前述したように、タグ不良時や複数枚作成ニーズに対応して既登録のデータを再度用いて同一ＩＤによって無線タグラベルＴの発行が可能であり、また紛失時に対応して既登録データについて別のＩＤによって無線タグラベルの発行が可能であり、いずれも操作者の利便性を向上できる。特に紛失時には、前回発行時とは別に新たなデータ〜タグＩＤとの相関関係（ひも付け情報）を作成してこれを用いて無線タグラベルＴを発行するとともに、前回発行した無線タグラベルＴに対応した相関関係を無効化する（図９のステップＳＳ５１１）ので、仮に紛失した無線タグラベルＴの機能がまだ生きていたとしても、新たに作成する無線タグラベルＴとの情報の混信を防止することができる。
【０１４６】
さらに、本実施形態では特に、無線タグラベルＴの発行開始前に、制御回路３０においてタグラベルＴの印字態様のイメージが作成され端末５にプレビュー表示される（イメージ画像作成手段；図９のステップＳＳ５０８、ステップＳＳ５０９、ステップＳＳ５１２）、さらに記憶装置２００のデータベース２０１が、このイメージ画像を、対応するデータと関連づけて格納保持する（図１１、図１２参照）。また上記のようにデータベース２０１に格納保持されたイメージ画像は、端末５からの適宜の操作で制御回路３０にて取得されて対応するイメージ画像表示信号が生成され（イメージ画像表示信号生成手段）、端末５の表示手段へ出力されて対応する表示が行われる。これらにより、操作者が作成後の無線タグラベルＴの外観態様を容易に認識することができるので、これによっても操作者の利便性を向上することができる。
【０１４７】
また、この実施形態では特に、図１０を参照して説明したように、記憶装置２００が無線タグ回路素子Ｔoの用途に応じた、複数種類のデータベース２０１Ａ〜２０１Ｄを備えている。これにより、例えば、固定資産管理用、オフィス備品管理用、名札作成用等、用途に応じたデータベースを用意して使い分けることが可能となり、利便性が向上する。
【０１４８】
さらに、本実施形態では特に、図１３においてチェックボックス２０２Ｃに関連して説明したように、無線タグ回路素子Ｔoを含まず印字のみを行った（タグなし）印字ラベルを作成することも可能である。この結果、操作者の利便性を向上することができる。特に本実施形態では印字情報として、対応する無線タグ回路素子ＴoのタグＩＤそのもの又は無線タグラベルＴの用途に応じた情報等の印字を行うことにより、それら無線タグ回路素子Ｔoごとの固有の識別情報あるいは当該無線タグ回路素子の用途情報を印字済タグラベル用テープ１１０ひいては無線タグラベルＴにおいて視覚的に明確にすることができる。
【０１４９】
なお、本発明は、上記実施形態以外にも、その趣旨と技術思想の範囲を逸脱しない範囲でさらに種々の変形が可能である。以下、そのような変形例を順次説明する。
【０１５０】
（１）データベースより複数データ群の連続発行を行う場合
すなわち、操作者が所定条件を満たす複数の前記タグラベルの連続作成を行う際に、当該所定の条件を満たすデータベース２０１Ａ〜２０１Ｄに含まれる特定のデータ群をデータベースから検索抽出し、それらデータ群に関わる複数の無線タグラベルＴを自動的に連続発行する場合である。
【０１５１】
図１６は、上記操作者が複数の無線タグラベルＴの連続発行のために検索抽出を行うときの所定条件と、これに対応する検索抽出対象のデータベース２０１Ａ〜２０１Ｄとの組み合わせの例を表す図である。
【０１５２】
図１６において、この例では、社員管理データベース２０１Ａを検索抽出対象とする場合において、性別が男性でかつまだ無線タグラベルＴが未発行である社員に関するデータのみを上記所定条件として設定し当該データを検索抽出する例や、性別が女性でかつまだ無線タグラベルＴが未発行である社員に関するデータのみを検索抽出する例が示されている。同様に、備品管理データベース２０１Ｂを検索抽出対象とする場合において、購入金額が２０万円未満で無線タグラベルＴが未発行である備品に関するデータのみを検索抽出する例や、購入金額が２０万円以上で無線タグラベルＴが未発行である備品に関するデータのみを検索抽出する例や、さらに、顧客管理データベース２０１Ｄを検索抽出対象とする場合において取引回数が１０回以上で無線タグラベルＴが未発行である顧客に関するデータのみを検索抽出する例や、顧客管理データベース２０１Ｄを検索抽出対象とする場合において取引回数が１０回未満で無線タグラベルＴが未発行である顧客に関するデータのみを検索抽出する例が示されている。
【０１５３】
図１７は、操作端末５からの操作信号に基づき、本変形例のタグラベル作成装置２が実行する基本動作の概念的なタイムチャートであり、上記実施形態の図９に対応する図である。図９と同等の手順には適宜同一の符号を付し、適宜説明を省略又は簡略化する。
【０１５４】
この図１７において、ステータス問い合わせ信号の出力（ステップＳＳ５０１）、制御回路３０のカートリッジ種類情報（識別情報）の取得（ステップＳＳ５０２）、データベース選択に応じたデータベース参照指令信号の記憶装置２００への出力（ステップＳＳ５０３）、及びデータレコード（群）の記憶装置２００からの抽出及び端末５の表示手段への一覧表示（ステップＳＳ５０４）は図９と同様である。
【０１５５】
操作者は、上記表示手段に表示された参照データ群を見て、それらのうち、図１６に示したような、複数の無線タグラベルＴの連続発行のために検索抽出を行うときの所定条件を操作端末５において入力する（ステップＳＳ５４０）。これにより、上記入力に応じたデータベース参照指令（検索抽出指令）信号が制御回路３０を介して記憶装置２００へと出力され（ステップＳＳ５４１）、これに応じて当該データベース２０１Ａ〜２０１Ｄに既に登録されたデータの中から上記指令内容の所定条件に合致したデータレコード（群）が検索抽出されて決定され（ステップＳＳ５４２）、検索抽出結果を表す参照データとして制御回路３０を介して端末５の上記表示手段に例えば一覧表示される（ステップＳＳ５４３）。そして例えばその一方で、当該検索抽出されたデータに係わる印字情報が制御回路３０を介して印刷駆動回路２５へ出力（転送）される（ステップＳＳ５４４）とともに、同様に検索抽出されたデータに係わる書き込み情報が制御回路３０を介し高周波回路２１及び信号処理回路２２へ出力（転送）される（ステップＳＳ５４５）。
【０１５６】
操作者は、上記表示手段に表示された参照データ群を見て確認を行い、それらに関する複数枚の無線タグラベルＴの一括発行を最終的に実行する場合は、操作端末５においてその旨の適宜の操作（連続作成指示）入力することにより、タグ情報アクセス（＝この例ではデータ書き込み）指令、印字指令、記憶装置アクセス（発行データ登録）指令からなる１つの操作信号（＝連続作成指示信号）がタグラベル作成装置２側へ出力される。
【０１５７】
この操作信号（連続作成指示信号）に含まれる印字指令信号は上記図９と同様に制御回路３０を介し印刷駆動回路２５へ入力され、これによって、印字ヘッド１０によりカバーフィルム１０３に対し、上記ステップＳＳ５４４で印刷駆動回路２５へ転送入力された印字情報に基づき複数の無線タグラベルＴのそれぞれ対応する印字が１枚分ずつ順次行われる（ステップＳＳ５１４）。また操作信号（連続作成指示信号）に含まれるデータ書き込み指令信号は制御回路３０を介し信号処理回路２２及び高周波回路２１へ入力され、これによって、アンテナ１４を介し上記ステップＳＳ５４５で入力された書き込み情報に基づき複数の無線タグラベルＴのそれぞれ対応する情報書き込みが１枚分ずつ順次行われる（ステップＳＳ５１５）。操作信号（連続作成指示信号）に含まれる発行データ登録指令信号は制御回路３０へ入力され、上記データ書き込みが成功した旨の（１枚分の）報告信号（ステップＳＳ５１７）及び上記印字が成功した旨の（１枚分の）報告信号（ステップＳＳ５１８）が制御回路３０へ入力されるのを待って、これを確認して制御装置３０から当該データ（無線タグラベルＴの１枚分の対象物情報データ等）を記憶装置２００のデータベース２０１へ発行データとして登録する（ステップＳＳ５１９）。そして、登録した旨のデータ書き込み成功報告信号が制御回路３０側より操作端末５へ出力される（ステップＳＳ５２０）。その後、操作端末５の表示手段において、その報告信号に対応する結果表示（この場合は成功表示）が行われる（ステップＳＳ５２２）。そして、上記のようにデータベース２０１Ａ〜２０１Ｄから抽出されたすべての参照データ（群）の登録処理が終了するまでは、再び同様の手順に戻って（ステップＳＳ５２３及びステップＳＳ５２４、あるいは、ステップＳＳ５２５及びステップＳＳ５２６）次の無線タグラベルＴに係わる情報書き込み及び印字が行われる。
【０１５８】
一方、印字又は書き込みが失敗した場合には、その旨のデータ書き込み失敗報告信号（ステップＳＳ５２１Ａ）及び印字失敗報告信号（ステップＳＳ５２１Ｂ）が制御回路３０側より操作端末５へ出力され、操作端末５の表示手段において対応するエラー表示が行われる（上記ステップＳＳ５２２）。さらに、上記同様、印字及び書き込みの両方が揃って成功するまで、再び同様の手順に戻って（上記ステップＳＳ５２４、あるいは、上記ステップＳＳ５２６）同一の無線タグラベルＴに係わる情報書き込み及び印字の再試行（リトライ）が行われる。
【０１５９】
なお、上記において、制御回路３０が、各請求項記載の、操作端末から操作信号として所定条件の複数のラベルの連続作成を指示する連続作成指示信号が入力された場合、対応する被印字媒体への印字と無線タグ回路素子のＩＣ回路部へのアクセスとを、当該複数のラベルに関して一括して行う（ステップＳＳ５１４、ステップＳＳ５１５参照）ように、印字手段及び前記タグアクセス手段を連携制御する制御手段を構成する。また制御回路３０はさらに、操作端末から操作信号として所定条件のデータ検索指示信号が入力された場合（ステップＳＳ５４１参照）、データベースに備えられた相関情報又は取り付け対象物の識別情報のうち、当該所定条件に対応するものを検索抽出する検索手段をも構成し（ステップＳＳ５４２参照）、さらには、その検索抽出した情報に対応する印字情報及び書込み情報を取得し、その取得した印字情報及び書込み情報に対応した制御信号を印字手段及びデータアクセス手段へそれぞれ出力する制御信号出力手段をも構成する（ステップＳＳ５４４及びステップＳＳ５４５参照）。
【０１６０】
本変形例においても、上記実施形態と同様、ネットワーク通信環境の良否によりデータベース２０１へのアクセスの円滑性が阻害されることが防止され、円滑、迅速、かつ信頼性の高い無線タグ情報の管理を実現できるという、本発明本来の効果を得ることができる。
【０１６１】
また、上記したように、操作端末５からの連続作成指示ワンタッチ操作のみで、データベース２０１Ａ〜２０１Ｄ内の特定のデータ群を抽出し、目的とする情報を迅速かつ確実に取得して、所定の（検索抽出）条件をみたす複数の無線タグラベルＴを連続して作成することができる。
【０１６２】
さらに、アンテナ１４による情報書き込み時において、通信不良等によって一度書き込み失敗に終わっても再試行する（ステップＳＳ５２４）ので、最終的な書き込み成功の確率を増大させ、信頼性の高い情報管理を実現することができる。
【０１６３】
（２）局所的なネットワークを用いる場合
以上は、図１に最初に示したように、無線タグ情報管理装置２及び端末５等が通信回線３を介して（広域の）ネットワークに組み込まれた場合を例にとって説明したが、これに限られない。すなわち、上述したようにデータベース２０１を備えた記憶装置２００が無線タグ情報管理装置２側に備えられていることを利用して、操作端末５と無線タグ情報管理装置２のみが局所ネットワークにて接続された構成（広域ネットワークには接続されない閉じたシステム構成）も可能となる。）。図１８はそのような場合の一例を表しており、無線タグ情報管理装置２と端末５が（その他の外部回線とは接続しない）局所的なネットワーク（いわゆるＬＡＮ等）によって接続され、これらによって無線タグ情報管理装置システム１′が形成されている。
【０１６４】
この場合、操作端末５及び無線タグ情報管理装置２内における各種信号の流れは基本的に上記実施形態と同様であるので説明を省略する。
【０１６５】
本変形例によっても、上記実施形態やと同様の効果を得ることができる。
【０１６６】
（３）無線タグ情報管理装置単体がすべての機能を備える場合
すなわち、上記実施形態における端末５の機能をすべて無線タグ情報管理装置２側に別途設けた操作手段（キーボード、マウス等）及び表示手段（ディスプレイ等）に備えるようにしてもよい（例えばタッチパネルであれば両方を兼用できる）。図１９はこのときの無線タグ情報管理装置２′の詳細構造を表す概念的構成図を表しており、上記実施形態の図２に相当する図である。この例では上記操作・表示手段（タッチパネル等）２５０を設けている。この場合の操作信号は、上記操作・表示手段で生成されて出力され、同じ無線タグ情報管理装置２′内の制御回路３０へ入力される。
【０１６７】
図２０は、このとき無線タグ情報管理装置２′で実行される際の概念的なタイムチャートを表しており、上記図９に対応する図である。図９と同等の手順を同一の符号で表している。なお、図示の場合は、無線タグ情報管理装置２′単体（いわゆるスタンドアローン）においても、上記実施形態のように端末５と無線タグ情報管理装置２と同様の機能を果たす場合を例にとって示しているが、これに限られず、制御回路３０のＣＰＵの演算機能や各種メモリの記憶容量を簡素化・低減化するために一部の機能を簡素化してもよい。例えば、記憶装置２００のデータベース２０１のデータは既に登録済のもののみを使用することを前提とし、データ編集・データ新規入力はできないようにしてもよい。
【０１６８】
本変形例によっても、上記実施形態と同様の効果を得ることができる。
【０１６９】
（４）読み取り専用の無線タグ回路素子を用いる場合
また、以上においては、無線タグ回路素子Ｔoに対し無線タグ情報（タグＩＤ等）を送信しＩＣ回路部１５１に情報書き込みを行う場合を例にとって説明したが、これに限られない。すなわち、予め所定の無線タグ情報（タグＩＤ等）が書き換え不可に記憶保持されている読み取り専用の無線タグ回路素子Ｔoから無線タグ情報を読み取りながら、これに対応する印字を行って無線タグラベルＴを作成する場合があり、このような場合にも本発明は適用可能である。
【０１７０】
この場合には、前述の図３に示すカートリッジ構造においてロール１０２内に領域Ｘが入り込まないように（ロール１０２内の無線タグ回路素子Ｔoとは通信しないように）適宜のシールド手段等を設けた上で、図１４におけるステップＳ１０においては印字情報のみを読み込み、ステップＳ３０で無線タグ情報の読み込み処理を行うようにすればよい（詳細は後述の図２１参照）。その後ステップＳ１２０では印字情報とその読み込んだ無線タグ情報との組み合わせを保存する。
【０１７１】
図２１は、上記無線タグ読み込み処理の詳細手順を表すフローチャートである。
【０１７２】
図２１において、情報読み取り対象とする無線タグ回路素子Ｔoがアンテナ１４近傍に搬送されてきたら、ステップＳ１０１において、無線タグ回路素子Ｔoに記憶された情報を読み出す「Scroll
All ID」コマンドを信号処理回路２２に出力する。これに基づき信号処理回路２２で無線タグ情報としての「Scroll All ID」信号が生成されて高周波回路２１を介して読み取り対象の無線タグ回路素子Ｔoに送信され、返信を促す。
【０１７３】
次に、ステップＳ１０２において、上記「Scroll All ID」信号に対応して読み取り対象の無線タグ回路素子Ｔoから送信されたリプライ信号（タグＩＤ等を含む無線タグ情報）をアンテナ１４を介して受信し、高周波回路２１及び信号処理回路２２を介し取り込む。
【０１７４】
次に、ステップＳ１０３において、上記ステップＳ１０２で受信したリプライ信号に誤りがないか否かを公知の誤り検出符号（ＣＲＣ符号；Cyclic Redundancy Check等）を用いて判定する。
【０１７５】
判定が満たされない場合はステップＳ１０４に移ってＮに１を加え、さらにステップＳ１０５においてＮ＝５かどうかが判定される。Ｎ≦４の場合は判定が満たされずステップＳ１０１に戻り同様の手順を繰り返す。Ｎ＝５の場合はステップＳ１０７に移り、フラグＦ＝１としてこのルーチンを終了する。このように、情報読み取りが不調でも５回までは再試行が行われることにより、読み取り確保上、万全を期すことができる。
【０１７６】
ステップＳ１０３の判定が満たされた場合、読み取り対象とする無線タグ回路素子Ｔoからの無線タグ情報の読み取りが完了し、このルーチンを終了する。
【０１７７】
以上のルーチンにより、カートリッジ内の読み取り対象の無線タグ回路素子Ｔoに対し、ＩＣ回路部の無線タグ情報（タグＩＤ情報等）にアクセスし、これを読み出すことができる。
【０１７８】
本変形例によっても、上記実施形態と同様の効果を得ることができる。
【０１７９】
（５）その他
（a）記憶装置の他形態
以上においては、記憶装置２００として、ハードディスクを例にとって説明したが、これに限られず、いわゆるＳＤ（Secure Digital）メモリカード等の不揮発性のメモリ媒体を用いてもよい。
【０１８０】
また、記憶装置２００を、無線タグ情報管理装置２の装置本体８に対し着脱可能に設けてもよい。この場合、必要に応じ自由自在に装置本体８側に取り付けたり、取り外したりすることができるので、例えば、操作者別あるいは用途別にそれぞれ記憶装置を用意しておき、使用時のつどそれぞれを着脱して使用することが可能となる。また、バックアップも容易に取ることができる。
【０１８１】
（b）テープや被印字媒体の他形態
以上においては、印字後の被印字媒体としてのカバーフィルム１０３と基材テープ１０１とを貼り合わせて印字済タグラベル用テープ１１０としこれを切断して無線タグラベルＴとする場合を例にとって説明したが、これに限られない。印字済の被印字媒体とこれに貼り合わせるべき（＝関連づけられる）無線タグ回路素子Ｔo入りテープとを別々に作成して装置外へ排出し、ユーザがその別々に作成された被印字媒体とタグ入りテープとを貼り合わせるようなタグラベル作成装置に本発明を適用してもよい。また例えば被印字媒体自体に無線タグ回路素子Ｔoを配置し、この被印字媒体に印字ヘッドで印字を行うとともにそれに含まれる無線タグ回路素子Ｔoに対し情報読み取り又は書き込みを行って無線タグラベルＴを作成してもよい。
【０１８２】
さらに、以上においては、被印字媒体として、第２ロール１０４から繰り出されるテープ状のカバーフィルム１０３を例にとって説明したが、これに限られず、いわゆる平紙（シート）状のラベル素材をトレイ状のカートリッジから適宜の駆動ローラ（駆動手段）にて供給し、これに印字を行うようにしてもよい。
【０１８３】
(c)既登録時の二重登録防止等
また図９のステップＳＳ５０５にて説明したように、上記では、登録しようとするデータが既にデータベース２０１に既登録であってもこれを端末５で操作選択することでそのまま登録動作を継続することが可能であったが、これに限られず、既登録の場合は強制的に以降の登録を禁止する（言い換えれば未登録の場合のみ登録可能）ようにしてもよい。この場合、既にデータベースへ格納（登録）済みのデータ（相関情報等）を誤って二重登録するのを防止できる効果がある。
【０１８４】
なお、既に述べた以外にも、上記実施形態や各変形例による手法を適宜組み合わせて利用しても良い。
【０１８５】
以上で用いた「Erase」信号、「Verify」信号、「Program」信号とは、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１８６】
その他、一々例示はしないが、本発明は、その趣旨を逸脱しない範囲内において、種々の変更が加えられて実施されるものである。
【図面の簡単な説明】
【０１８７】
【図１】本発明の一実施形態の無線タグ情報管理装置が適用される無線タグ情報管理システムを表すシステム構成図である。
【図２】図１に示した無線タグ情報管理装置の詳細構造を表す概念的構成図である。
【図３】図２に示したカートリッジの詳細構造を説明するための説明図である。
【図４】図３に示した高周波回路の詳細機能を表す機能ブロック図である。
【図５】無線タグ回路素子の機能的構成を表す機能ブロック図である。
【図６】無線タグラベルの外観の一例を表す上面図及び下面図である。
【図７】図６中VII−VII′断面による横断面図である。
【図８】無線タグ情報へのアクセスに際し、操作端末に表示される画面の一例を表す図である。
【図９】端末からの操作信号に基づき、無線タグ情報管理装置の記憶装置アクセス機能、タグ情報アクセス機能、印字機能がそれぞれ実行される際の概念的なタイムチャートである
【図１０】図９のステップＳＳ５０３にてデータベース参照指令信号が出力されるにあたり端末の表示手段において表示されるデータベース選択用の画面を表す図である。
【図１１】端末の表示手段に表示されたデータレコードの一例を表す図である。
【図１２】端末の表示手段に表示されたデータレコードの一例を表す図である。
【図１３】図９のステップＳＳ５０９及びステップＳＳ５１０にて紛失再発行か不良再発行かに対応して端末にて操作者が操作を行うために表示手段において表示される選択操作用の画面を表す図である。
【図１４】制御回路によって実行される制御手順を表すフローチャートである。
【図１５】図１４のステップＳ３０の詳細手順を表すフローチャートである。
【図１６】データベースより複数データ群の連続発行を行う変形例において、操作者が複数の無線タグラベルの連続発行のために検索抽出を行うときの所定条件と、これに対応する検索抽出対象のデータベースとの組み合わせの例を表す図である。
【図１７】操作端末からの操作信号に基づきタグラベル作成装置が実行する基本動作の概念的なタイムチャートである。
【図１８】操作端末と無線タグ情報管理装置のみが局所ネットワークにて接続された変形例を表す図である。
【図１９】無線タグ情報管理装置単体がすべての機能を備える変形例における概念的構成図である。
【図２０】無線タグ情報管理装置で実行される概念的なタイムチャートである。
【図２１】読み取り専用の無線タグ回路素子を用いる変形例において無線タグ情報管理装置の制御回路が実行する無線タグ読み込み処理の詳細手順を表すフローチャートである。
【符号の説明】
【０１８８】
２            無線タグ情報管理装置
１２          圧着ローラ駆動軸（駆動手段）
１４          アンテナ（アンテナ手段）
２１          高周波回路
２２          信号処理回路（タグアクセス手段）
３０          制御回路（タグアクセス手段、データアクセス手段）
３２          送信部（タグアクセス手段）
１００        カートリッジ
１０１        基材テープ（タグテープ）
１０２        第１ロール（タグテープロール）
１５１        ＩＣ回路部
１５２        アンテナ（タグ側アンテナ）
Ｔ            無線タグラベル
Ｔo           無線タグ回路素子
【図１】
2006209262.tif 000003
【図２】
2006209262.tif 000004
【図３】
2006209262.tif 000005
【図４】
2006209262.tif 000006
【図５】
2006209262.tif 000007
【図６】
2006209262.tif 000008
【図７】
2006209262.tif 000009
【図８】
2006209262.tif 000010
【図９】
2006209262.tif 000011
【図１０】
2006209262.tif 000012
【図１１】
2006209262.tif 000013
【図１２】
2006209262.tif 000014
【図１３】
2006209262.tif 000015
【図１４】
2006209262.tif 000016
【図１５】
2006209262.tif 000017
【図１６】
2006209262.tif 000018
【図１７】
2006209262.tif 000019
【図１８】
2006209262.tif 000020
【図１９】
2006209262.tif 000021
【図２０】
2006209262.tif 000022
【図２１】
2006209262.tif 000023